(57)【要約】  蝋燭組立品は、ベースから延出して内部空間を画定する光透過性側壁を有するベースを含む。光源は、内部空間内に配置された電源回路を含む。光透過性シースが側壁周囲に配置され、この側壁から放射状に離間されている。側壁の頂端は蝋燭取替部を保持するように用いられる。側壁及びシースの少なくとも一つは、蝋燭取替部の少なくとも頂部まで延びるようにその高さが調整され、光源からの光の透過によって蝋燭取替部の本体が見えないようにすることができる。
2009521784.tif 000002
【特許請求の範囲】
【請求項１】
ベースから延出し内部空間を画定する光透過性側壁を有するとともに、前記内部空間内に電源回路を含む光源が配置されている前記ベースと、
前記側壁周辺に配置され、前記側壁から放射状に離間されている光透過性シースと、
を含む蝋燭組立品において、
前記側壁の頂端部が蝋燭取替部を保持するように構成され、
前記側壁及び前記シースの少なくとも一つの高さが、前記光源からの光の透過によって前記蝋燭取替部の本体が見えないように、前記蝋燭取替部の少なくとも頂部へ延出するように構成された、
蝋燭組立品。
【請求項２】
前記光源は、３色の発光ダイオード（ＬＥＤ）を含む、請求項１に記載の蝋燭組立品。
【請求項３】
前記蝋燭取替部からの炎を含む第２の光源を更に含む、請求項１に記載の蝋燭組立品。
【請求項４】
前記蝋燭取替部を支持するように構成された壁は、前記側壁の一部を横切って前記内部空間にわたって延出している、請求項１に記載の蝋燭組立品。
【請求項５】
保持壁は、前記側壁の前記頂端部から上方に延びている、請求項４に記載の蝋燭組立品。
【請求項６】
光組立品及び前記光組立品と協働可能である制御装置と、
底端部と、頂端部と、蝋燭を支持し内部空間を画定するように構成された光透過側壁と、を含むライトパイプと、
を含む蝋燭組立品において、
前記底端部は、前記光組立品の少なくとも一つの光源に隣接するように配置され、前記少なくとも一つの光源から前記底端部を通って光を透過させることを可能とする、
蝋燭組立品。
【請求項７】
前記側壁は、ベース部分から上方へ延出しており、前記制御装置の少なくとも一部は、前記内部空間に配置されている、請求項６に記載の蝋燭組立品。
【請求項８】
前記光組立品は、前記側壁の前記底端部に隣接するように配置された複数の光源を含む、請求項６に記載の蝋燭組立品。
【請求項９】
前記蝋燭からの炎を含む第２の光源を更に含む、請求項６に記載の蝋燭組立品。
【請求項１０】
前記光透過性側壁は、外側位置から見られないように前記制御装置を遮蔽する、請求項６に記載の蝋燭組立品。
【請求項１１】
前記蝋燭は、前記燃料と芯とが配置された容器を含む、請求項６に記載の蝋燭組立品。
【請求項１２】
前記蝋燭は、柱状蝋燭取替部を含む、請求項６に記載の蝋燭組立品。
【請求項１３】
壁は、前記内部空間に跨っている前記側壁の一部を横切って延出している、請求項６に記載の蝋燭組立品。
【請求項１４】
湾曲変移部は、前記側壁の前記壁面の間に延び、前記湾曲変移部が前記側壁の隣接部分の厚みの二倍以上の内径を有し、前記湾曲変移部が、少なくとも、前記内径と前記側壁の前記隣接部分の厚みの合計に等しい外径である、請求項１３に記載の蝋燭組立品。
【請求項１５】
前記蝋燭は、内部に配置されたキャビティを有する柱状蝋燭取替部を含み、前記キャビティ内に前記壁面と前記側壁との少なくとも一部が挿入されている、請求項１３に記載の蝋燭組立品。
【請求項１６】
内部空間を取り囲み、第１の端面と第２の端面との間を延びる、光伝導性側壁を含むライトパイプであって、前記側壁の一部が蝋燭取替部を支持するように構成された前記ライトパイプと、
前記第１の端面に隣接するように位置決めされた光源と、
前記ライトパイプの周囲に配置される光伝導性シースであって、前記シースは、前記ライトパイプから放射状に離間され、前記光源から光の透過によって前記蝋燭取替部の本体が見えないように構成された前記光伝導性シースと、
を含む蝋燭組立品。
【請求項１７】
前記蝋燭取替部は、燃料材料と芯とを内部に配置した容器を含む、請求項１６に記載の蝋燭組立品。
【請求項１８】
前記蝋燭取替部は、柱状蝋燭を含む、請求項１６に記載の蝋燭組立品。
【請求項１９】
壁面は、前記内部空間を横切って前記側壁の前記一部を介して延出しており、保持壁は、前記側壁の前記一部から上方へ延出している、請求項１６に記載の蝋燭組立品。
【請求項２０】
前記保持壁から、異なる長さを有する複数の光伝導性支柱が延出している、請求項１６に記載の蝋燭組立品。
【発明の詳細な説明】
【技術分野】
【０００１】
関連出願の相互参照
本出願は、２００６年２月１６日に出願された米国特許出願番号第１１／３５５，５８５号の一部継続出願であり、２００５年１２月２１日に出願の米国仮出願番号第６０／７５４，０８８号の特典を請求する。米国特許出願番号第１１／３５５，５８５号は、２００４年２月１７日に出願された米国特許出願番号第１０／７８０，０２８号（１９９９年１２月２１日に出願された米国特許出願番号第０９／４６８，９７０号の一部継続出願である、２０００年１２月２０日に出願された米国特許出願番号第０９／７４７，５４５号、現在、米国特許第６，８０２，７０７号の一部継続出願である）の一部継続出願であり、また、２００５年５月３１日に出願された米国特許出願番号第１１／１４０，６８３号（２００４年２月１７日に出願された米国特許出願番号第１０／７８０，０２８号の一部継続出願である）の一部継続出願であり、さらに、２００５年３月３１日に出願された米国特許出願番号第１１／０９６，７５３号の一部継続出願である。
【０００２】
本出願もまた、２００５年１０月３日に出願の米国仮出願番号第６０／７２３，１６６号の特典を請求する。全ての上記の先行出願の特典を請求し、従って、これらの出願は、その全体が参照することによって本明細書に組み込まれている。
連邦政府支援による研究開発に関する引例
【０００３】
該当なし
【０００４】
該当なし
【０００５】
本発明は、一般に、ボーティブ（ｖｏｔｉｖｅ：誓願）組立品（ａｓｓｅｍｂｌｉｅｓ）に係り、より詳細には、サウンドショー及び／又はライトショーを有するボーティブ組立品に関する。
【背景技術】
【０００６】
音及び／又は光を発する種々のマルチセンサー型の蝋燭組立品が公知である。一例としては、蝋燭組立品は、開口頂端部を取り囲む凹状段付リングを有する円筒形容器の内部に配置された芯を含む蝋燭を有する。円形遮光体は、開口頂端部に嵌入され、凹状段付リングに支持された外周フランジを有する。
【０００７】
他の例としては、蝋燭ホルダは、蝋燭ホルダのベースから延出する蝋燭棒を受け取るための燭台（スタンダード）を有する。燭台は、その上端に、外側に湾曲したフランジを有する蝋燭棒を受け取るための受け口（ソケット）を有する。漏斗形の先割れ管が受け口内に配置されている。先割れ管は、受け口の湾曲したフランジに支持されている外側に湾曲した外周フランジを有する。キャップは、受け口の外側に湾曲したフランジに跨って、先割れ管の上方で離間された受け口の周縁部によって支持される。
【０００８】
取付台から上へ延出する中空円筒形本体部分を有する電気蝋燭が知られている。ボーティブ蝋燭は、中心切頭円錐形リムから外側へ放射状に延出する複数の腕を有するブラケットによって本体部分開口上端部内に担持される。ボーティブ蝋燭は、リムの内部で担持され、腕の周縁部は、本体部分の開口上端部において凹状の内部環状リムによって支えられる。
【０００９】
いくつかの場合において、蝋燭は、管状外被に含まれる蝋本体を有する一定して立炎する炎を有する。バネは、熱絶縁性カバーによって外被の開口端部に沿って支持されている芯に向かって上方へ蝋本体を付勢する。芯は、カバーの中心開口を介して延出し、ワイアによって一定の立炎位置で保持される。外側に湾曲した周囲リップが立面図の位置で保持される。カバーの外側に湾曲した周囲リップは、管状外被内の周囲凹部内で支持される。
【００１０】
一例を挙げると、装飾用発光（ｌｕｍｉｎａｒｙ）製品は、蝋燭又は蝋燭を含む蝋燭ホルダを有する。発光製品は、発光製品の形状に合わせて変形可能な熱収縮ポリマーで成形された装飾的ウェブを有する。このウェブは、蝋燭が燃えるときに視覚的な効果を提供するために、蝋燭を燃焼させることによって発生する熱に反応する、熱発色性インク又は顔料によって装飾されている。
【００１１】
他の例としては、メロディ蝋燭は、芯と並列されて蝋燭内に埋め込まれた光ファイバを有する。光ファイバは、蝋燭を点火した時、光が、光ファイバを通って、光センサに伝達されてメロディが演奏されるように、メロディ生成装置を制御する光センサに接続されている。光ファイバは、蝋燭が点火されていない時に感光センサに周囲光が伝達されるのを防止する濃暗色に変化する変色顔料が塗布されている。芯が点火されると、点火された芯から発生する熱によって変色顔料が透明になる。これによって、光ファイバを光が下方に移動し、メロディ再生装置を起動させて、メロディ演奏が開始される。
【００１２】
他のメロディ蝋燭組立品は、軸方向に配置された芯を有する蝋燭と、芯に沿って配置された熱応答性圧電ストリップと、を有する。芯が点火されると、熱応答性ストリップによって炎からの熱が、蝋燭ベース内の電子を活性化することによって変換され、メロディ、歌、又は声楽演奏などが開始される。
【００１３】
更に他のメロディ生成蝋燭は、音楽を奏でる埋込み式の集積回路を有する。より糸状の光学ファイバが、点火された芯から、集積回路に動作可能に接続された光センサへ、光を伝達する。蝋燭は、より糸状の光学ファイバを介してセンサへ伝達された光に合わせて、感光センサの感度を調整する光反射器を更に含む。
【００１４】
更なるメロディ蝋燭組立品は、底面に一つ以上の凹部を有する蝋燭と、蝋燭の底面に延出する下端を有する芯と、を有する。蝋燭は、軸方向に埋め込まれた光ファイバを有する。更にまた、蝋燭組立品は、また、一つ以上の開口と芯が延びる中心穴とを更に有する。蝋燭組立品は、メロディ再生装置と、メロディ再生装置を作動させる用意をするために、芯からの光を感知するための芯の下端の反対側に形成された中心穴に挿入された光センサと、を有する。
【００１５】
他のメロディ蝋燭は、通常の状態では光を遮蔽するために、黒っぽい色を保ち、蝋燭の燃焼した場合、熱が印加され透明色に変化する光ファイバをコーティグするための変色顔料を使用する。
【００１６】
他の例において、蝋燭装置は、炎元に応答するように用いられる炎応答回路と、無線周波数信号に応答するように構成された受信回路と、を有する。炎応答回路と受信回路は、電子再生装置、電気機械装置、又は光源装置に結合される。
【００１７】
更なる蝋燭装置は、底部と、底部に形成された集積回路を有する音楽ジェネレータを含む区画と、を有する容器内に格納された蝋燭本体を含む。この集積回路は、蝋燭の点火された芯の蝋燭炎の有無に応答して集積回路を起動させるスイッチ手段によって制御される。スイッチ手段は、感光レジスタに結合された光ファイバ部材、感熱レジスタに結合された伝熱線、又は赤外線レジスタに結合された伝熱線を有する。赤外線レジスタは、加熱された伝熱線によって発せられる赤外線輻射を検出する。
【００１８】
変色蝋燭は、蝋燭本体内の芯と並列かつ隣接するように埋め込まれたより糸状の光ファイバを有する。光ファイバは、蝋燭本体内に埋め込まれた電子に動作可能に接続される。より糸状の光ファイバを透過する光の検出に応答して、電子は、蝋燭本体のカラーを一つ以上の点灯される発光ダイオードの、いずれかの色に変色させる一つ以上の発光ダイオードを起動させる。
【００１９】
また他の例において、蝋燭は、蝋燭本体内で軸方向に配置された芯内に、光ファイバケーブルなどの光導体を含む。光導体は、蝋燭が点火された時、光導体に沿って伝送された蝋燭の光がトリガとなって音楽を再生させる、音楽生成電子回路に連結されている。
【００２０】
他の例において、蝋燭は、蝋燭が磁石系メカニズムをトリガさせる程蝋量を燃焼した場合、蝋燭の炎を消すように作用する蝋燭消炎組立品を有する。磁石系蝋燭の消炎メカニズムは、芯ホルダを有する蝋燭と、第１の極性を有する第１の磁石と、を有する。蝋燭は、第２の極性を有し、蝋燭の下方に配置されている第２の磁石を覆うように、配置されている。第１と第２の磁石は、第１の磁石の第１の極性が第２の磁石の第２の極性によって反発されるように位置決めされる。しかしながら、蝋燭は、最初、第１と第２の磁石の反発力よりも大きく、蝋燭が直立した状態で保たれるだけの量を有する。蝋燭が十分に溶けると、溶けた蝋の溜まりができる。ある量の蝋が消費された後、両磁石間の反発力が、蝋燭の重量よりも大きくなり、これによって、蝋燭は、溶けた蝋の溜まりへ傾いて、炎が消される。
【００２１】
他の例において、蝋燭支持構造は、蝋燭が地震などの振動によって、蝋燭がひっくり返ることを防止するように設計されている。構造は、従来の蝋を形態化した蝋燭本体のベースの穴に差し込む心環（シンブル）状の装置からなるように見える。心環と蝋燭とは受容体上で受け取られる。心環と蝋燭とが受け取られる受容本体上の位置には、燃焼している蝋燭から蝋燭の蝋滴を受け取る受け皿状の構造に、面一埋め込まれた永久磁石を有する。蝋燭は、最初に心環を受け取り、さらに、蝋燭がその下方にある心環及び永久磁石が過熱されないようにするための穴をベース内に有するように設計されている。
【００２２】
また他の例において、磁気蝋燭ホルダ組立品は、そのベースに磁石が接着される蝋燭ホルダを有する。また、この組立品は、磁気材料を含む爪付受皿を有する。受皿は、従来の蝋タイプの蝋燭のベースへ挿入され、受皿と蝋燭とは磁石の上に置かれる。蝋燭ホルダに接着された磁石と、蝋燭のベースに挿入された磁気材料を備えた受皿との間の磁気引付け力によって、蝋燭が蝋燭ホルダに固着される。
【００２３】
点灯された表示装置は、可視のスペクトルで同時に発色し、表示装置に配置された半透明の物体を選択的に照射することができる３個の発光ダイオードを含むベースを有する。これらのダイオードは、ベースの上面下と、ベース内に配置された中央位置光路内に位置決めされる。半透明の物体支持部は、ベースの上面の上に取り外し可能に配置され、ＬＥＤによって発光された光をさらに拡散及び分散させる。半透明の物体支持部は、平らなシート状の半透明材料又は蝋燭ホルダであってもよい。
【００２４】
また更なる例において、蝋燭棒の要素は、離間された少なくとも二つの開口と、光ファイバの下端が延出される中心穴と、蝋燭棒の要素の上部に形成された各開口を覆って移動可能に突出するスイッチノブを有するメロディ生成装置と、を有する。
【発明の開示】
【課題を解決するための手段】
【００２５】
本発明の一実施の形態によれば、蝋燭組立品は、内部空間を画定しベースから延出している光透過性側壁を有するベースを含む。電源回路を含む光源が内部空間内に配置される。光透過性シース（鞘部）が側壁周辺に配置され、シースは側壁から放射状に離間されている。側壁の頂端部は、蝋燭取替部（ｃａｎｄｌｅ  ｒｅｆｉｌｌ）を保持するように構成されている。側壁とシースの少なくとも一つの高さは、蝋燭取替部の本体の少なくとも頂部まで延出され、これにより、光源からの光の透過によって取替部の本体を見えないようにすることができる。
【００２６】
本発明の他の実施の形態によれば、蝋燭組立品は、光の組立品と、この組立品と協働する制御装置と、を含む。また、蝋燭組立品には、底端と上端部光透過性側壁を含むライトパイプ（ｌｉｇｈｔ  ｐｉｐｅ）が設けられ、このライトパイプは、蝋燭を支持するように構成され、内部空間を画定する。ライトパイプの底端は、光組立品の少なくとも一つの光源に隣接して配置され、少なくとも一つの光源からの光透過が可能となる。
【００２７】
本発明のまた他の実施の形態によれば、内部空間を取り囲み、第１の端面と第２の端面の間を延びる、光伝導性側壁を含むライトパイプを含む。側壁の一部は、蝋燭取替部を支持するように構成されている。光源は、第１の端面に隣接するように位置決めされる。光伝導性シースは、ライトパイプの周囲に配置され、ライトパイプから放射状に離間され、光源から光の透過によって、蝋燭取替部の本体を見えないように構成されている。
【発明を実施するための最良の形態】
【００２８】
本発明の他の態様は、図面及び以下の詳細な説明を考慮に入れることによって、より明確となり、様々な図面において種々の実施の形態における同様の構成要素には、同様の参照番号が付される。
【００２９】
図１〜５を参照すると、蝋燭組立品１００は、支持台１０２、溶融皿１０４、芯ホルダ１０６、芯１０８、及び燃料要素（ｆｕｅｌ  ｅｌｅｍｅｎｔ）１１０を含む。支持台１０２は、受け皿状に形成され，中央に配置された毛管台座（ｃａｐｉｌｌａｒｙ  ｐｅｄｅｓｔａｌ)１１２を含む溶融皿１０４を支持する。任意の装飾的エッチング１１４が溶融皿１０４の上部露出面に施されることで、人を引きつけ、又は、視覚的な情報が与える。芯ホルダ１０６は、毛管台座１１２に嵌合するベース部１１６と、細長い円筒形胴部１１８形状の芯保持スリーブと、ひれ状部１２０などの熱伝導要素を含む。胴部１１８は、芯の一部が胴部より上に露出した状態でベース部１１６から延出するように、芯１０８を受け取る。燃料要素１１０は、芯ホルダ１０６に沿って、及びその周辺に配置され、芯１０８が延びるダクト（導管）又はスロット１２２を含む。スロット１２２は、芯１０８がこのスロット１２２を通って延びることができるだけの幅Ｗ1と、ひれ状部１２０の少なくとも一部を受け取ることができるだけの長さｌ1を有する。一実施の形態において、燃料要素１１０は、約１５ｇの蝋量を有し、溶融皿の蝋燭１００は、燃料が完全に消費されるまで、燃料要素１１０と同一の燃料において、約３時間〜約３時間半、連続的に燃焼する。
【００３０】
図２に示すように、芯ホルダ１０６のベース部１１６は、略円錐形のベーススカート部１２６に取り囲まれた端板１２４と、ベーススカートから上方へ延びる胴部１１８ならびに胴部及び端板１２４から延びるひれ状部１２０を含む上部と、を含む。胴部１１８が毛管台座に配置された時に、直立、又は、略垂直の向きで維持されるように毛管台座１１２に沿って及びその周辺にぴったり嵌合するように用いられる。ベーススカート１２６は、端板１２４を貫く、凹み（ｉｎｄｅｎｔａｔｉｏｎ）又はスペーサ１２８と穴１３０とを含む。例えば、穴１３０によって、鋼鋲１３２又は磁石（図示せず）などの強磁性構造は、穴１３０を介して、ベース部１１６に固着され、これによって、芯ホルダ１０６は、磁力によって毛管台座１３０に沿って剥離可能に固着され得る。芯が端板を介して延びることができるように、胴部１１８は、芯を保持するように締まり嵌め又は締め代嵌めのいずれかによって芯１０８を受け取るように大きさが決定され、端板１２４を介して芯が延出できるように端板１２４内で開口１３４を画定する。ひれ状部１２０は、胴部１１８の反対側の両外側横方向に延出し、胴部より上方へ延出する。一実施の形態において、ひれ状部１２０は、炎の輪郭を模倣するように形付けられる。他の実施の形態において、ひれ状部１２０は、正方形、円形、楕円形、三角形、又は他の非幾何学的形状を有していてもよく、また他の実施の形態において、ひれ状部１２０は、２００４年９月１０日に出願され、その全体が本明細書中に参照することによって組み込まれている米国特許第特許出願第１０／９３９，０３９号に全体が記載されているような、絶縁領域（図示しない）を有していてもよい。ひれ状部１２０は、芯１０８上で燃える炎から燃料要素１１０へ向かって外側へ熱を伝導するための相対的に薄肉の細片状の金属などの熱伝導性材料である。一実施の形態において、芯ホルダ１０６は、折返部１３６の回りでカットされ折られた一枚のアルミニウムシートから作られ、対向側部１４０及び１４２と、ベーススカート１２６内のチャネル又はギャップ１４４の間で毛管空間１３８を形成する。他の実施の形態において、芯ホルダ１０６は、セラミック、他の金属、耐熱プラスチックなどの他の耐熱材料から他の方法によって形成され得る。芯ホルダ１０６は、鋼（スチール）などの強磁性材料から形成される場合、スチールリベット１３２は、必要に応じて、省略されてもよい。二つの側面１４０と１４２は、任意の好適、例えば、熱ひれ状部１２０内の穴１４８を貫通してリベット１４６、半田付け、クリップ、耐熱接着剤などのような任意の便利な手段によって、互いに接着される。ギャップ１４４と穴１３０によって、燃料要素１１０から溶融した燃料材料は、ベーススカート１２６の下方へ滴下又は浸潤することができ、毛管空間１３８は、溶融した燃料材料が毛細管現象によって、ひれ状部１２０を上方へ渡ることができ、これによって消費されない芯領域１５０において燃料を提供する。このような毛管現象の例は、２００４年９月１０日に出願され、本明細書中にその全体が参照することによって組み込まれる米国特許第特許出願第１０／９３８４５３号に記載されている。
【００３１】
図３に詳細に示されているように、燃料要素１１０は、燃料材料の本体１５２を含み、上面１５４と下面１５６を有する。燃料要素１１０は、一実施の形態において、蝋パックであり、他の実施の形態おいては、他の形状を有してもよいし、固体もしくは半固体状、或いは、室温で固定された形態において維持可能な、パラフィン又は動物性脂肪などの他の溶解可能又は流動可能な燃料材料を含む。燃料要素１１０の下面１５６は、芯ホルダ１０６のベース部１１６にぴったり合うように形付けられる上部キャビティ壁１６０を有するキャビティ１５８を画定する。スロット１２２は、上面１５４からキャビティ壁１６０へ延出し、キャビティ壁の幅Ｗ2よりも小さい上面の幅Ｗ1を有する。幅Ｗ1は、燃料要素１１０からの溶融蝋が、芯１０８と係合しなくても、スロットから外れたり、下へ飛び散ったりしないように、又は、違うやり方を用いるようにする。幅Ｗ1は、スロットから外れたり、スロットから下へ飛び散ったりする時に、スロット１２２の上部近くから溶融された燃料材料が芯１０８との係合を確実とすることができるように狭小であることが好ましい。一実施の形態において、幅Ｗ1は、スロット１２２の上端において芯の直径よりも約０．０２インチ（０．５ｍｍ）以上大きくなってはいけない。また他の実施の形態において、幅Ｗ1は、締め代嵌めが芯とスロット１２２の上端における本体１５２の間に存在するように芯１０８の幅よりも小さい。更なる実施の形態において、幅Ｗ1は、約０．１２インチ（３ｍｍ）以下である。芯１０８は、約０．１インチ（２．５ｍｍ）の直径を有する。また、更なる実施の形態（図示なし）において、スロット１２２は、最初、芯１０８の直径よりも約０．０２インチ（０．５ｍｍ）大きい幅を有し、これによって、スロット１２２への芯１０８と芯ホルダ１０６の挿入が容易になり、スロットは、引き続いて、幅Ｗ1が芯の直径よりも約０．０２インチ（０．５ｍｍ）未満になるように第２の製造ステップにおいて更なる燃料材料を充填する。
【００３２】
図４に示されるように、支持台１０２は、一般にボウル形である上部チャンバ１６２内において溶融皿１０４を支持する。一実施の形態において、接着剤１６６によって上部チャンバ１６２の側壁１６４に固着されることによって、溶融皿と支持台１０２の中間壁１７０との間にエアスペース１６８が形成される。エアスペース１６８が、溶融皿と支持台１０２の間に絶縁を提供し、溶融皿から支持台までの熱のロスが削減される。他の実施の形態（図示なし）において、溶融皿１０４は、接着剤１６６が両間に配置された中間壁１７０と隣接しており、溶融皿と中間壁の間にエアスペース１６８は全く形成されない。当然、溶融皿を支持するために溶融皿１０４の他の構成及び支持構造も好ましく適用される。
【００３３】
燃料要素１１０の一実施の形態において、スロット１２２は、上部表面１５４において長さｌ1を有し、これが、下部表面１５６の長さｌ2より長い。長さｌ1は、ひれ状部１２０の最大幅Ｗfよりも短く、長さｌ2は、熱ひれ状部最大幅Ｗfより長い。上記に記載されている通りに、スロット幅ｗ1とｗ2に加えて、ｗfに関してのこのようなスロット長ｌ1と長さｌ2の構成は、芯ホルダ１０６を下部表面１５６からスロット内に完全に挿入することを容易にする。スロット１２２とキャビティ１５８のこのような構成によって、下部表面１５６よりむしろ上部表面１５４を介してスロットへひれ状部１２０が挿入された場合、スロットが芯ホルダを完全に受容しないようにし、これによって、燃料要素１１０及び芯ホルダ１０６が組立不良となることを防止又は阻止する。
【００３４】
図５に示されるように、溶融皿１０４の一部、毛管台座１１２、芯ホルダ１０６、燃料要素１１０、及び芯１０８が組み立てられ、ユーザによって使用又は最初の点火の準備ができている状態が示されている。一実施の形態において、毛管台座１１２は、溶融皿１０４の床部１７６と、毛管台座１１２の頂壁１７８の間の中間位置で周りに伸びている環状溝１７４を有する傾斜側壁１７２とを含む。磁石１８０は、接着剤１８２によって頂壁１６６の下側に固着される。他の実施の形態では、磁石１８０は、頂壁１７８の上側又は芯ホルダ１０６を引き付けるに足る他の場所に配置されてもよい。芯１０８へ向かう溶け出した、又は、液状の燃料材料の毛細管動作を容易にするように大きさが決定されたベーススカート部１２６と傾斜側壁１７２間に毛管空間１８４を提供するために、スペーサ１２８は環状溝１７４に着座するように用いられる。スペーサ１２８は、環状溝１７４に着座することによって毛管台座１１２で芯ホルダ１０６を保持するのを補助する。更に、芯ホルダ１０６内のスチールリベット１３２は、毛管台座１１２に沿って置かれたときに磁石１８６に引き付けられ、これによって、芯ホルダが予期せずに毛管台座から落下したり、すべり落ちたりしないようにする。端板１２４の下側に配置された時、スチールリベット１３２も、毛管空間１８４を維持するよう補助するための毛管スペーサとして、作用する。他の実施の形態において、芯クリップ１０６を毛管台座１１２上の適正位置に保つために、磁石１８６は、任意の好適な手段、例えば、接着剤を用いて、又は、リベットを使って、端板１２４に固着され得る。燃料要素１１０のキャビティ壁１６０は、燃料要素と芯１０８、芯ホルダ１０６、並びに溶融皿床部１７６との間の開口空間１８８をできる限り小さくするために、芯ホルダ１０６のベーススカート１２６と胴部１１８との周辺を締まり嵌めして、溶融皿１０４の床部１７６に支持されるように形付けられる。開口空間１８８を最小限にすることによって、溶融した燃料材料（図示しない）が、床部１７６へ落下し、あるいは、開口空間へ蓄積され、これによって、燃焼中に芯の液体又は溶融した燃料材料の潜在的な不足を生じさせずに、むしろ、（溶融した燃料材料を）芯１０８へ直接送らせる確度が高くなる。しかしながら、溶融皿１０４からの溶融によるものであろうと、芯１０８上の炎１０９による直接の溶融によるものであろうと、溶融した燃料材料が毛管台座１１２のベース辺りに蓄積されると、溶融された燃料材料は、蝋燭が燃えている間、消費不可能な芯領域１５０に向かって毛細管現象によって毛管空間１８４に沿って上方へ引き上げられる。一実施の形態において、芯１０８は、胴部１１８の開口端１３４を介して延出して、毛管台座１１２の頂壁１７８に接触又は略接触する。これによって、毛管空間１８４を引き上げられた液状の燃料材料が芯と係合し、芯の上で燃焼する炎によって最終的に燃焼するように、その内部で引き上げられる。芯の胴部１１８は、芯１０８を受け取るに足る内径を有する。胴部１１８の内径は、芯の直径より大きくても、小さくても、又は、同じでもよく、その長さに沿って同等の又は異なる直径を有していてもよい。一実施の形態において、芯が胴部に挿入しやすいように、胴部１１８の内径は芯１０８の直径より大きい。他の実施形態では、胴部１１８の内径は、画一的に、芯１０８の直径より０．０１２インチ（０．３ｍｍ）大きい。さらに他の実施の形態において、胴部１１８の内径は、芯１０８と同じか、それより小さい。溶融した燃料材料は、抜き穴１３０を介して、毛管空間１８４へ浸出することができ、これによって、毛管空間１８４を通る上方への毛管現象の準備をしたり、これを容易にしたりすることができる。また、溶融された燃料材料は、ひれ状部１２０の対向側部１４０、１４２の間の毛管空間１３８において上方へ引き上げられ、溶融された燃料材料が気化し芯１０８上の炎によって点火される、不燃性の芯領域まで引き上げられてもよい。
【００３５】
次に、図６を参照すると、他の芯ホルダ２００及び溶融皿２０２が示されている。これらの芯ホルダ２００と溶融皿２０２は、毛管台座２０４が環状溝１７４を設けない平滑な傾斜側壁２０６を含み、芯ホルダ２００がベーススカート１２６内にスペーサ１２８を含まないこと以外は、図１〜図５に示された芯ホルダ１０６と溶融皿１０４に同様である。参照番号１８４と同様の毛管空間（図示せず）は、芯ホルダ２００のベース部１１６の、例えば、端板１２４の下方に突出しているスチールリベット１３２によって、ベーススカート１２６と側壁２０６との間に維持される。本実施の形態において、芯ホルダ２００は、スチールリベット１３２と、毛管台座内の磁石１８０（図６に示されない）との間の引力によって、毛管台座２０４上で実質的に維持される。
【００３６】
次に、図７及び図８を参照すると、例えば、参照番号１００の蝋燭組立品に使用するための他の実施の形態の芯ホルダ３００が示され、芯胴部の他の部分の断面積より小さい断面積を有する胴部１１８の中間部を含むこと以外は、芯ホルダ１０６（又は芯ホルダ２００）と同様である。胴部１１８の側壁３０４の凹み３０２は、胴部の対向端部３０８と３１０との中間に位置するか又は配置され、胴部の他のどの部分よりも小さい断面積を有する胴部のくびれ（締付）部３０６を画定する。芯１０８は、（溶融状態、さもなければ、流体状態にある場合の）燃料材料３１１を吸収するように用いられる芯の一部又は末端が、端部３１０を介して下方へ延出するように、点火用の芯の他の部分又は末端が、端部３０８を介して上方へ延出するように、胴部１１８を介して延出する。くびれ部３０６は、有効芯断面積を減らし、これによって、第１の開口端と第２の開口端の間の芯の毛管流体流量を削減又は制限し得る。次に、端部３１０から端部３０８までの芯１０８の流体燃料材料３１１の制限された流量、実質的に減少した流体流量によって、燃料材料の燃焼率が削減され、燃料要素の寿命を長くすることができる。断面積が大きいくびれ部３０６は、断面積が小さいくびれ部よりも、体積流量率が早く、あるいは、毛管流体流量が大きいので、芯１０８の毛管流体流量は、くびれ部分の断面積を減らすことによって実質的に削減され得る。側壁３０４が実質的に液体不透過性になった場合（例えば、側壁が芯１０８へ流体燃料材料を通さない場合）、くびれ部３０６を通る芯１０８に沿って上方へ流れる流体燃料材料３１１の流量が、このような収縮によって強化され、これにより、端板１２４に配置された端部３１０を介しての又は胴部１０８の端部３０８上での芯への流体燃料材料の流れが制限される。凹み３０２が、胴部１１８内の所定の位置で芯１０８が保持されることを補助してもよい。この場合、例えば、芯の端部が端部３１０を通って又は端部３１０まで延出して、芯が、胴部から引き出され、このため、流体燃料材料３１１の毛管空間１８４が滴穴１３０を通った芯方向への流れに潜在的に接触しなくなることを防止する。
【００３７】
本明細書において詳細に説明されている蝋燭組立品と芯ホルダ３００の他の変形及び実施の形態も具体的に考察される。例えば、一実施の形態において、胴部１１８は、他の断面積及び形状を有する円筒形状又は管状のスリーブの形態をとる場合もある。他の実施の形態においては、胴部１１８におけるくびれ部３０６は、内側環状隆起部（図示せず）によって形成される。内側環状隆起部は、芯胴部１１８周辺全体で側壁３０４に凹みを形成したりもしくはクリンプ（ひだ付け）したりすることによって、又は、側壁３０４の内面に配置された内部環状ショルダによって、形成されてもよい。他の実施の形態において、くびれ部３０６は、単一の凹み３０２によって形成されてもよいし、又は、対向する関係にあるか、互いからオフセットされるかのいずれかであってよい複数の凹みによって、形成されてもよい。他の実施の形態（図示せず）において、胴部１１８は、一般に管状ではなく、むしろ、芯１０８の一部を挿入し、芯が延出する側壁内に第１及び第２の開口を有する長手方向に湾曲する側壁を含む、芯外皮の形態を取ることもできる。
【００３８】
他の態様によれば、図８に示される、本明細書中に説明されている芯ホルダのいずれかと毛管台座とのいずれかの任意の組み合わせに適用可能である、毛管空間１８４は、芯ホルダ３００のベース部１１６と毛管台座２０４の間で容積又は毛管井戸（ウェル）３５０を画定する。毛管井戸３５０は、燃料材料３１１（例えば、蝋又は他の溶融可能な燃料）の溜まり３５２（ダッシュ線で示す）が外周スカート１２６の溶融皿２０２と毛管台座２０４内に形成された後、芯１０８の持続点火がうまく行くように予め選択され、固化可能とされる寸法を有する。持続して燃焼している間、燃料材料３１１の流体部分は、溜まり３５２から、毛管ウェル３５０に引き込まれ、毛管作用によって、芯１０８まで引き上げられ、芯１０８の炎３５４へ供給される。燃料要素１１０全体を使い果たす前に炎３５４が消えた場合、燃料材料３１１の溜まり３５２が、固化し、溶融皿２０２の底部を介して、毛管ウェル３５０を通って、芯１０８まで、延出される。一実施の形態において、燃料材料３１１の溜まり３５２が固化した後に芯１０８が再点火される場合、毛管空間１８４は、毛管ウェル内の燃料材料を交換するために液化燃料材料の補給を行うため、外周スカート１２６を囲む燃料材料が十分に溶けるまで芯１０８を通して炎３５４を供給するために燃料材料の流体供給が毛管ウェル内で迅速に形成され、使用可能となるように、毛管空間１８４の大きさが決定される。例えば、毛管空間１８４の寸法が小さすぎる場合、外周スカート１２６を囲む燃料材料３１１の溜まり３５２が芯１０８に液化した燃料を取替部できるほど十分に溶融していない時点では、持続的な再点火中に芯１０８の炎３５４を持続できるほど十分な燃料材料が毛管ウェル３５０内に存在しない。また、例えば、毛管空間１８４が大きすぎる場合、芯の燃料材料が燃焼していない時点では、毛管ウェル３５０の固化した燃料材料３１１を介しての伝熱に時間が掛かり、毛管空間１８４において芯１０８へ液化した燃料を送ることができるだけの十分な量の燃料材料が溶融されない。いずれの状況下でも、炎３５４に送るために、毛管空間１８４の外側から、毛管ウェル３５０へ、そして、芯１０８まで、流体燃料材料の実質的に連続する毛管動作を開始させ又は持続させることができる十分な量の燃料材料が溶融する前に、炎３５４は、燃料が不足して消えてしまう。従って、一実施の形態において、芯１０８の良好な持続的な再点火を補助するためには、毛管ウェル３５０が、外周スカート１２６に隣接している又はこれを囲んでいる固化した燃料材料３１１の溜まり３５２から、毛管空間１８４を介した毛管作用によって炎３５４を連続的に送ることができる十分な量の液化した燃料が形成されるまで、再点火された芯１０８へある一定量の溶融燃料を供給することができる十分な容積以上の容積を有する。他の実施の形態において、毛管ウェル３５０の容積は、炎３５４からの熱が、芯内に担持された固化した燃料材料３１１が燃焼した後に炎３５４を送ることができるように毛管空間１８４内に配置された固化した燃料材料３１１を十分な速さで溶融させることを可能とする容積以下である。
【００３９】
更なる態様において、固化した蝋の溜まり３５２が持続する炎３５４の燃焼を維持するように芯１０８へ燃料の十分な流れをもたらすことができる位、十分に溶融するまで、芯１０８へ十分な量の溶融燃料源を提供するためには、毛管ウェル３５０の容積が、例えば、参照番号１００の蝋燭組立品全体の熱容量と比例していれば、良好な再点火が達成可能である。蝋燭組立品１００の熱容量は、溶融皿の蝋燭全体の温度を変えるために必要なエネルギー量を測定したものであって、その部分の比熱によって乗算される蝋燭組立品の各部分の質量の積の合計に等しい。例をあげて説明すると、毛管ウェル３５０の容積対蝋燭組立品全体の熱容量の比率は、約０．０００６立方インチ／カロリー／摂氏温度（以下、ｉｎ3／ｃａｌ／℃）（１ｍｍ3／ｃａｌ／℃）〜約０．０００６ｉｎ3／ｃａｌ／℃（１０ｍｍ3／ｃａｌ／℃）、約０．０００１ｉｎ3／ｃａｌ／℃（２ｍｍ3／ｃａｌ／℃）〜約０．０００４ｉｎ3／ｃａｌ／℃（６ｍｍ3／ｃａｌ／℃）、又は約０．０００１８ｉｎ3／ｃａｌ／℃（３ｍｍ3／ｃａｌ／℃）〜約０．０００２４ｉｎ3／ｃａｌ／℃（４ｍｍ3／ｃａｌ／℃）である時に良好な再点火が達成され得る。したがって、一実施の形態において、蝋燭組立品の熱容量は、約１３５ｃａｌ／℃〜約１０ｃａｌ／℃、約７５ｃａｌ／℃〜約４０ｃａｌ／℃、又は約６１ｃａｌ／℃〜約５０ｃａｌ／℃であり、毛管ウェル３５０の容積は、約０．００６ｉｎ3（１００ｍｍ3）〜約０．０３ｉｎ3（５００ｍｍ3）、約０．００９ｉｎ3（１５０ｍｍ3）〜０．０１８ｉｎ3（３００ｍｍ３）、又は約０．０１２ｉｎ3（２００ｍｍ3）である。
【００４０】
例えば、参照番号１００などの蝋燭組立品の実施の形態の熱容量は、総計約５０ｃａｌ／℃の熱容量を有する支持台１０２、溶融皿２０２、及び芯ホルダ３００と、燃焼前の時点で約１０．５ｃａｌ／℃の熱容量を有する約０．５３オンス（１５ｇ）の蝋からなる燃料要素１１０と、を含む。毛管台座２０４は、約０．３９インチ（１０ｍｍ）〜約０．０４インチ（１ｍｍ）、又は０．２インチ（５ｍｍ）の高さｈ１、約１．１８インチ（３０ｍｍ）〜０．３９インチ（１０ｍｍ）、又は約０．８３インチ（２１ｍｍ）の下部半径Φｌ、約０．０４インチ（１ｍｍ）〜約０．７９インチ（２０ｍｍ）、又は約０．４３インチ（１１ｍｍ）の上部半径Φ２を有する略切頭円錐形状を有する。ベース１１６は、約０．０８インチ（２ｍｍ）〜約０．８３インチ（２１ｍｍ）、約０．４３インチ（１１ｍｍ）〜約０．５５インチ（１４ｍｍ）、又は約０．５１インチ（１３ｍｍ）の上部直径Φ３、約１．２２インチ（３１ｍｍ）〜約０．４３インチ（１１ｍｍ）、０．７９インチ（２０ｍｍ）〜約０．９１インチ（２３ｍｍ）、又は、約０．８７インチ（２２ｍｍ）の下部直径Φ４、約０．４３インチ（１１ｍｍ）〜約０．０８インチ（２ｍｍ）、約０．２８インチ（７ｍｍ）〜約０．１６インチ（４ｍｍ）、又は、約０．２インチ（５ｍｍ）の高さｈ２、約０．００４インチ（０．１ｍｍ）〜約０．０４インチ（１ｍｍ）、約０．０３インチ（０．８ｍｍ）〜約０．０２はインチ（０．５ｍｍ）、又は約０．０２インチ（０．６ｍｍ）の端板１２４からのリベット１３２までの高さｈ３を含む外周スカート１２６を装着した毛管台座に対して略相補的な切頭円錐形状を有する。他の実施の形態において、毛管台座２０４は、約０．１８インチ（４．７ｍｍ）の高さｈ１、約０．８１インチ（２０．５ｍｍ）の下部半径Φｌ、約０．４４インチ（１１．１ｍｍ）の上部半径Φ２を有し、ベース１２６は、約０．５インチ（１２．６ｍｍ）の上部直径Φ３を有し、約０．８５インチ（２１．６ｍｍ）の下部直径Φ４を有し、約０．２インチ（５．０５ｍｍ）の高さｈ２を含むスカート１２６を有する。ベース１１６が毛管台座２０４の頂部に配置された時、端板１２４は、毛管台座の頂壁１７８から距離約０．０３インチ（０．６５ｍｍ）垂直に離間され、外周スカート１２６は、側壁２０６から距離約０．０２インチ（０．３８ｍｍ）垂直に離間される。これによって、約０．０１２ｉｎ3（２００ｍｍ3）の容積を有する毛管ウェル３５０を画定する。
【００４１】
図９を参照すると、ホルダ又はベース４０２とベースの凹部４０６内に担持された略凹状の溶融皿４０４とを含む、他の態様による溶融皿蝋燭組立品４００が示されている。本明細書中に既述されているものと同様である溶融皿に支持されている固体状の燃料要素と芯ホルダは、本発明を明確化するために図示しない。溶融皿４０４は、熱伝導性が高く、本明細書において前述されている他の溶融皿と同様であり、中央に配置された芯位置において上方に突出している毛管台座４０８を含む。ベース４０２は、溶融皿４０４の周りに延出し、溶融皿４０４から天頂角度θで外側へ配置され、溶融皿の上方に配置された最頂縁、即ち、頂縁３１２を有する壁４１０を含む。一つの態様において、ベース４０２と溶融皿４０４は、例えば、芯１０８のような芯上に存在している時のように炎が溜まりに密接した状態で配置された時、溶融又は液化した燃料の溜まりを覆って（静穏な大気環境に囲まれている時に）実質的に層流を増やしたり、発展させたりするように用いられる幾何学的寸法を有する。このような層流は、溜まりにかかる過状の流れを削減すること、及び溜まり内に部分的に集中したホットスポットを削減又は最小限にすることのいずれかによって、溜まりの全体温度をコントロールし、これによって、芳香剤又は殺虫剤などの燃料中の活性揮発性成分の揮発を遅らせることができ、燃料が完全燃焼するまでの燃料の有効芳香期間を延長することができる。溶融皿の蝋燭の燃焼中に溜まり内の全ての燃料が液化した時、空気は、毛管台座４０８上に配置される芯（図示しない）上の炎によって生じる熱煙突又は上昇気流によって、壁４１０の頂縁４１２を越える流れる実質的な層流となって、溶融皿４０４及び溶融蝋などの液化燃料の溜まりを越えて、凹部４０６へ引き込まれる。熱煙突を上昇する気流も揮発した活性成分を周囲環境に分配される。
【００４２】
一実施の形態、ベース４０２及び溶融皿４０４は、実質的な層流を増加又は促進させるための以下の等式によって表される形状寸法を有する。
【００４３】
【数１】
2009521784.tif 000003
以上の式中、
Ｐｍａｘは、溶融皿４０４の最大幅である（ｍｍ）。
Ｐｍｉｎは、溶融皿４０４の最小幅である（ｍｍ）。
ＳＡは、溶融皿４０４の投影表面積又は二次元の外形投影表面積である（ｍｍ2）。
Ｈｍｉｎは、ベース４０２の頂縁４１２における最小幅である（ｍｍ）。
Ｄｐは、溶融皿４０４のベース４０２の頂縁４１２からの深さである（ｍｍ）。
Ｄｐｍａｘは、Ｄｐの最大値である（ｍｍ）。
Ｒは、ベース４０２の頂縁の外径である（ｍｍ）。
θは、壁４１０の天頂角度である（ｄｅｇ）。
【００４４】
等式１は、層流を発展させるために、上下の一定した境界内で、溶融皿の投影表面積と溶融皿の幅の近似的な関係を定量化する。等式２は、層流を発展させるために、溶融皿４０４の投影表面積とベース４０２の頂縁４１２からの溶融皿４０４の深さとの近似的関係を定量化する。等式３は、層流を発展させるために、溶融皿を横切る最小溶融晩と頂縁４１２からの溶融皿４０４の深さとベース壁４１０の天頂角度との近似的関係を定量化する。等式４は、層流を発展させるために、溶融皿４０４とベースの形状寸法の関数として、ベース４０２の頂縁４１２における近似的最小幅を定量化する。上記の等式１〜４がほぼ矩形のベース及びホルダについて記載されているが、最適化された蝋燭アセンブルの寸法形状に近づけるために、これらの関係式は、楕円や円形などの他の蝋燭組立品に使用されてもよい。図４に示されるベース１０２と溶融皿１０４などの円形のベースと溶融皿を備えた一実施の形態において、Ｈｍｉｎは約３．９４インチ（１００ｍｍ）であり、ＰｍａｘとＰｍｉｎは共に約３．１５インチ（８０ｍｍ）に等しく、Ｄｐは約０．４インチ（１０ｍｍ）であり、Ｒは約０．０８インチ（２ｍｍ）であり、θは約４５°である。
【００４５】
図１０及び図１１は、蝋燭組立品５００を示す。蝋燭組立品５００は、溶融皿５０４がベース部５０２に適正に位置合わせされることを確実にするための位置合わせメカニズムを含むことを除いては、蝋燭組立品４００に略類似している。蝋燭組立品５００は、燃料要素１１０、芯ホルダ１０６、及び芯１０８の組合せのような宗教的用途の蝋燭を支持するためのベース部５０２及び溶融皿５０４を含む。ベース部５０２は、熱伝導率が低いガラス又はセラミックなどの不燃性材料で作られており、溶融皿は、熱伝導率が高いアルミニウム又は他の金属などの不燃性材料で作られているが、他の材料が用いられてもよい。ベース部は、その上端において、直立側壁５０８とこれら側壁の上部リム５１２の下で離間され側壁にかけて延びる内壁５１０とによって画定された凹部５０６を含む。ベース５０２の底端部において内壁５１０の下は中空である。側壁５０８及びベース５０２の底端部の特定の形状及び構成は殆ど任意の形状及び形態をとり得て、本明細書中に記載されている特定の形状に限定されないことが理解されよう。受皿又はボウル形に形成された溶融皿５０４は、作動位置において凹部で受け取られるように底面が凹部５０６と略相補形に形成されることによって上向きに凹んでいる。本明細書において前述されているものと同様に、溶融皿５０４は、相対的に平坦な底壁５１４が、外周縁５１８に隣接する隆起状又は上方へ湾曲した周囲部分５１６と中心に配置されたボーティブ蝋燭を受け取るためにこの底壁５１８の中心部から上方に突出している毛管出っ張り部（ローブ）５２０によって囲僥されている、略矩形のフットプリント（面積）を有する。ベース５０２の凹部５０６内の溶融皿５０４の位置合わせを確実にするための位置合わせメカニズムは、側壁の内部側面５２４から内側へ突出し、凹部５０６の周囲全体に延出する、水平ステップ５２２などのショルダ部と、このショルダ部によって支持されている水平レッジ（棚部）５２６などの相補形レッジと、を含む。レッジ５２６は、溶融皿周辺で延び、溶融皿５０４の外周縁５１８と底壁５１４との間に縦に配置され、外周縁を凹部全体５０６周辺の側壁５０８の内面５２４に押圧することによって水平ステップ５２２によって支持されている。毛管出っ張り部５２０と外周縁５１８とを含む溶融皿全体は、上部リム５１２の下に配置される。溶融皿５０４は、側壁５０８の内面５２４に押圧される隆起した周縁部５１６と、上方へ突出する毛管出っ張り部５２０とによって、凹部５０６の内壁５１０の上に離間される。溶融皿５０４は、レッジ５２６とショルダ部５２２の間に配置される接着剤１６６（図示しない）などの接着剤の液滴によってベース部５０２に固着される。接着剤は、溶融蝋や他の液体が溶融皿の下に透過しないように、溶融皿５０４の周縁部５１８と側壁５０８の内面５２４の間をシールする。位置合わせメカニズムとして、他の略相補形の位置合わせ構成が、追加されてもよいし、又は、代わりに使用されてもよい。例えば、溶融皿とベースの間に唯一の可能な正確な整合を提供するために、ベースショルダ部が、単に一つ以上の分離して離間されたステップ部分を含んでいてもよいし、又は、溶融皿レッジが、分離したレッジ部分と連続形成されたり、もしくは、整合されたりしてもよい。一実施の形態において、蝋燭組立品４５０が平らな支持面上に配置される時に溶融した蝋が毛管ローブの周辺に溜まることを確実とし、溶融蝋からベースまでのヒートロスを最小限にするために、溶融皿の底壁５１４が略平らで内壁５１０上で離間されるような所定の位置関係において、溶融皿５０４が確実にベース５０２内に配置されるのを補助する。当然であるが、位置合わせ特徴は、内壁５１０と接触している底壁５１４及び水平ではない角度で配置される底壁５１４のいずれかと位置合わせされるような他の位置合わせ構成において、溶融皿を凹部内で支持させるように容易に変更されてもよい。さらに他の実施の形態（図示しない）において、位置合わせ特徴は、ベース５０２と溶融皿の間に所定の位置合わせを提供するために、溶融皿５０４において相補的なレッジやキャビティと係合する凹部５０６内の任意の場所において配置される一つ以上の隆起した突出部を含むことができる。また、突出部は、ベース５０２と一体化していてもよいし、キャビティ内に配置されるワイアやボタン（図示しない）などの独立した物体によって形成されてもよい。他の位置合わせメカニズム（図示しない）は、それぞれが、対向する相補的ショルダ又はレッジを設けていないレッジ及びショルダの少なくとも一つを含んでいてもよい。ここで、レッジ又はショルダは、ベースに対して所定の位置合わせ又は配向を有するように、溶融皿を付勢する。
【００４６】
内壁５１０の中心領域から上方へ突出する円形リング５３０のような磁石５２８に対する保持器特徴は、毛管出っ張り部（ローブ）５２０の下方の溶融皿５０４の底面のキャビティ５３２の下に配置される。リング５３０は、溶融皿の底面と係合することなく、キャビティ５３２内を上方へ延出する。リング５３０は、キャビティ５３２内部で溶融皿５０４に接着されている磁石５２８が、溶融皿から剥がれた場合を考慮して、磁石５２８の保持器として作用する。一実施の形態において、リング５３０は、溶融した蝋からベースまでのヒートロスを最小限にするために、溶融皿の底面とは係合しないか、又は、離間される。保持器は、図面に示されている特定の円形リングに限定されるものではなく、毛管ローブ５２０の下の所定の位置において磁気５２８を保持できれば、他の形状に形成されてもよい。例えば、保持器は、磁石５２８を部分的に囲む複数の離間された突起部であってもよいし、磁石が、所定の配向で離間される突起部と嵌合されるように形成されてもよい。他の例において、保持器は、ショルダ５２２とレッジ５２６以外に、キャビティ５３２の底面と係合して、凹部５０６内で溶融皿５０４が位置合わせるように補助することができる。さらに、位置合わせ特徴と保持器特徴は、本実施の形態の特定のベース及び溶融皿に限定されることがなく、ベース１０２と円形の溶融皿１０４などの本明細書中に開示されているベースと溶融皿の任意の他の組み合わせによって作用できるように容易に対応されてもよい。
【００４７】
図１２〜図１４は、他の実施の形態による蝋燭組立品６００を示す。蝋燭組立品６００は、支持台６０２、任意の光拡散器６０４、及び制御装置６０６を含む。一実施の形態において、ベース６０２は、前もって記載されたベース１０２、４０２、及び５０２と同様であるか又は一致しており、溶融皿６０８は、前述の実施の形態に関連して説明されているように、ベース６０２内で固着される。図示されていないが、磁石は台座６１０の下で配置されてもよいし、芯クリップ、芯、燃料要素は、取り外し可能に台座６１０に配置され、磁石によって展開される磁力によってそれらの上で保持される。
【００４８】
他の実施の形態において、ベース６０２はクリア又は透明なガラスで作られている。但し、同じ又は異なる光学特性を有する他の材料が使用されてもよい。
【００４９】
分散器６０４（図１４）は、ベース６０２内に配置され、一実施の形態において、その凹部にぴったり整合して嵌入される。分散器６０４は、射出成形によって、又は、それ以外の方法で成形される半透明の熱可塑性物質から作成され得る。分散器６０４が、耐接着性の材料、及び同一材料及び／又は異なる材料のいずれかの材料から作られる他の対象物に接着不可能であると考えられる材料のいずれかから作成される時、幾何学的な表面特性６０５が分散器内内に含まれ、従来の及び／又は現在に至る接着剤を使用することによって、例えば、ベース６０２を含む他の対象物に分散器を接着することを可能となる。具体的には、図１４〜図１７に示されるように、分散器６０４は、左側側表面６１２から垂れ下がっている一対のタブ６１０ａ及び６１０ｂを含む（本明細書中に使用されているように、左右前後頂底上下などの用語は、様々な要素の相対的な配置を示すために便宜上使用されているにすぎず、本発明を限定することを意図するものではない）。また、スロット６１４は、分散器６０４の右側側壁６１６の下部に配置されている。右側側壁６１６の下縁６２４が制御装置６０６の支持表面６２６から上方へ離間されるように分散器６０４を傾斜又は角度付けした状態で、対応する凹部６２２ａ、６２２ｂそれぞれにタブ６１０ａと６１０ｂの外側に湾曲したフランジ６２０ａと６２０ｂのそれぞれを配置することによって、分散器６０４が制御装置６０６上に取り付けられる。次に、分散器６０４は、右側側壁６１６の下縁６２４が支持表面６２６に向かって下がるように回転し、そこで、分散器６０４の下部６３４の内面６３２とぶつかることによって、タブ６３０の外側に湾曲したフランジ６２８が制御装置６０６の中心に向かって徐々に偏向される。分散器６０４の連続する下方旋回によって、タブ６３０の外側に湾曲したフランジ６２８がスロット６１４に入り込み、そこで、分散器６０４の右側側壁６１６の下縁６２４のみならず、前面６４２、左側側面６１２、及び後面６４４それぞれの下縁６３６、６３８、及び６４０のそれぞれが、支持面６２６によって支えられる。
【００５０】
分散器６０４は、前面６４２と後面６４４を内側へ変位させることによって制御装置６０６から取り外され、これによって、タブ６３０の外側に湾曲したフランジ６２８が、下部６３４の内部表面６３２との干渉する接触から外れるように右側側側壁６１６の方向を少なくとも外側に偏向させる。次に、分散器６０４は、上方へ旋回され、タブ６１０ａと６１０ｂは、凹部６２２ａと６２２ｂのそれぞれから取り外され得る。
【００５１】
具体的に、図１６及び図１７を参照すると、分散器６０４は、上部壁６５４の内面６５２から垂れ下がる中空円筒形部材６５０を更に含む。円筒形部材６５０は、部材６５０が内面６５２に一致するところでは閉成端となり、その下端では開口端となる。一実施の形態において、円筒形部材６５０は、分散器６０４と同じ材料で作製され、いずれか又は両方が半透明であるか、もしくは、必要に応じて透明である。他の実施の形態において、必ずしもそうではないが、円筒形部材６５０の下縁６５６が、制御装置６０６の電池ホルダ６６２（図１４、図１５及び図１８参照）の平面６６０と接触している。あるいは、必要に応じて、分散器６０４が制御装置６０６に取り付けられる時、下縁６５６は、平面６６０から、離間されていてもよい。
【００５２】
次に、図１４、図１５、及び図１８〜図２１を参照すると、電池ホルダ６６２は、４個のＡＡサイズ（単三形）の電池６６４ａ〜６６４ｄを受容するための凹部を含む。所望があれば、電気的な必要条件に応じて、４個より多いか又は少ない数の電池が提供され得る。
【００５３】
電池６６４ａ〜６６４ｄは、すべてが、第１の印刷回路基板６６６（図１８及び図１９）及び第２の印刷回路基板６６８（図１８、図２０及び図２１）によって担持される電気部品に直列接続される。
【００５４】
第１の印刷回路基板６６６は、ＬＥＤ組立品６７０（簡単化のために図示されていない印刷回路基板６６６によって担持される電気部品の残り）を含む多数の電気部品を担持する。図１８及び図１９を詳細に参照すると、第1の印刷回路基板６６６は、凹部６７２（図１９）にスナップフィット（弾性締結）され、クリップ６７４ａ、６７４によって保持される（クリップ６７４ａが図１４、図１８及び図１９に示されているが、クリップ６７４ｂが図１５に示されている）。具体的には、第１の印刷回路基板６６６は、縁部６７６ａ、６７６ｂが、クリップ６７４ａ、６７４ｂの内側に湾曲するフランジ６７８ａ、６７８ｂにぶつかるまで、上方移動して凹部６７２内に挿入される。印刷回路基板６６６の連続的な上方移動によって、クリップ６７４ａ、６７４ｂが、印刷回路基板６６６の縁部６７６ａ、６７６ｂが内側に湾曲するフランジ６７８a、６７８ｂから離れて、クリップが元の位置に戻るまで、クリップ６７４ａ、６７４ｂが強制的に外側へ押し出され、これによって、電池ホルダ６６２の中心平面６８０の下部表面６７９とクリップ６７４ａ、６７４ｂの内側へ湾曲したフランジ６７８ａ、６７８ｂの間の印刷回路基板６６６が閉じ込められる（トラップされる）。第１の印刷回路基板６６６がこのように取り付けられた時、電池ホルダ６６２の中心平面６８０を通って延出する開口６８４内にＬＥＤ６７０が位置決めされる。
【００５５】
一実施の形態において、ＬＥＤ６７０は、相互に密接して離間されている赤、緑、青の発光ダイオードを含む。ＬＥＤ６７０は、可変スペクトルコンテンツ及び／又は輝度において光を発展させるために、以下に極めて詳細に説明されているように付勢される。このような光が観察者によって目視されるように、光は、円筒形部材６５０、分散器６０４の残留部分、及びベース６０２を介して伝送される。また、一実施の形態において、各ＬＥＤ６７０に分配された電流は、このようなＬＥＤ６７０によって特定の大きさの光輝度を発揮させるように制御される。各ＬＥＤ ６７０に分配される電流の量を制御するために多数の方法があるが、他の実施の形態においては、電池ドレインを最小限とするためにパルス幅変調（ＰＷＭ）動作が使用される。
【００５６】
具体的には、図２０及び図２１に示すように、第２の印刷回路基板６６８は、ねじ６９０ａ、６９０ｂによってスタンドオフ６９２ａ、６９２ｂのそれぞれに取り付けられている。ショルダタブ６９３（図１９〜図２１）は、スタンドオフ６９２ａ、６９２ｂに対しての第２の印刷回路基板６６８の配置を維持することを補助する。また、スタンドオフ６９２は、係止板６９４に一体化されるか、又は固着され、これがまた、制御装置６０６のハウジング６９８の正面側壁６９６に一体成形されるか、あるいは、固着される。第１〜第４のスイッチ７００ａ〜７００ｄは、第２の印刷回路基板６６８によって担持され、ボタン７０２ａ〜７０２ｄのそれぞれ（図１２〜図１５、図１８、図２０及び図２１）によって接触可能な起動部材を含む。ボタン７０２ａ〜７０２ｄの一つの押し下げることによって、協働するスイッチ７００ａ〜７００ｄの一つが閉成される。
【００５７】
電池ホルダ６６２は、電池ホルダ６６２に一体化しており、そうでなければ、バッテイルホルダ６６２に固着されているねじボス７１２ａ〜７１２ｄのそれぞれに、ワッシャ７１ｌａ〜７１１ｄのそれぞれを通って、延びる一続きの四つのねじ７１０ａ〜７１０ｄによって、ハウジング６９８内で保持される。組立中、外側へ湾曲されたフランジ６２８が、図１４に示される適正位置に来るまで、外側へ湾曲されたフランジ６２８が、対向する中空部材７１６ａ及び７１６ｂ（図１８及び図１９）によって画定されるスロット７１４の一部分を通って延びるように、電池ホルダ６６２がハウジング６９８に挿入される。これによって、裏面７１８（図１９）が外側に湾曲したフランジ６２８（図１８、図２０及び図２１）の内側部分７２２の上縁７２０によって支えられる。ねじ７１０ａ〜７１０ｄは、ハウジング６９８内の開口を介して、次に、位置合わせされたねじボス７１２２ａ〜７１２ｄに挿入され、図１４に示される適正位置において電池ホルダ６６２を固着するように締付けられる。
【００５８】
次に、図１８〜図２１を参照すると、図１９に具体的に示されるように、スピーカ７３０は、任意の好適な手段によってハウジング６９８内に取り付けられ、図１９に具体的に示されるように、一連の開口がハウジング６９８の下部表円７２４の中心部７３２に設けられる。
【００５９】
制御装置ハウジング６９８は、蝋燭組立品６００にサポートを提供し、スピーカ７３０によって発せられる音が蝋燭組立品６００の下に容積から逃げることができるように部分７３２の底部から離間される、４個の脚部７４０ａ〜７４０ｄ（図１３及び図１９）を更に含む。
【００６０】
図２２〜図３０は、蝋燭組立品９００の他の実施の形態を示す。蝋燭組立品９００は、図１２から図２３の実施の形態において、より詳細に説明されているものと同一又は同様の溶融皿９０３が内部に固着された支持台９０２と、（取り外し可能であってもようし、そうでなくともよい）任意の光分散器９０４と、及び制御装置９０６を含む。図１２から図２１、図４５、及び図５０の蝋燭組立品と同一の蝋燭組立品９００の特性についてはそれ以上の記載は省略する。
【００６１】
分散器９０４（図２３）は、ベース９０２内に配置され、一実施の形態において、その凹部にぴったり整合して嵌合される。より詳細には、図２３及び図２４を参照すると、分散器９０４は、左側側壁９１２から垂れ下がる一対のタブ９１０ａ、９１０ｂを含む（本明細書中に使用されているように、左右前後頂底上下などの用語は、様々な要素の相対的な配置を示すために便宜上使用されているにすぎず、本発明を限定することを意図するものではないことに再度注目されたい）。また、図２５に示されているように、くぼみ９１４は、分散器９０４の右側側壁９１６の下部の内面９１５に配置されている。分散器９０４が右側側壁９１６の下縁９２４が制御装置９０６の支持面９２６から上方へ離間されるように傾斜されるかもしくは角度付けされた状態で、タブ９１０ａ、９１０ｂの外側へ湾曲したフランジ９２０ａ、９２０ｂのそれぞれを対応する凹部９２２ａ、９２２ｂのそれぞれに配置することによって、分散器９０４は、制御装置９０６に取り付けられる。次に、分散器９０４は、右側側壁９１６の下縁９２４が支持面９２６に向かって下がるように回転され、これによって、結局、タブ９３０の外側へ湾曲したフランジ９２８（図２３）が、分散器９０４の下部９３４の内面９３２とぶつかることによって、制御装置９０６の中心に向かって次第に偏向される。あるいは、又は、さらに加えて、右側側壁９１６自体の部分が外側に偏向することによって、フランジ９２８と分散器９０４が互いに向かって移動することが可能となる。分散器９０４が連続して下方へ旋回することによって、タブ９３０の外側へ湾曲したフランジ９２８がくぼみ９１４へ入り込み、そこで、分散器９０４の右側側壁９１６の下縁９２４のみならず、前壁９４２、左側側壁９１２、及び後壁９４４それぞれの下縁９３６、９３８、及び９４０のそれぞれが、支持面９２６によって支えられる。本実施の形態の分散器９０４が制御装置９０６から容易に取り外されるように設計されていないことに注目されたい。
【００６２】
次に、図２６及び図２７を参照する。電池ホルダ９６２は、制御装置９０６の底部９６３に配置され、４個のＡＡサイズ（単３形）の電池９６４ａ〜９６４ｄを受け取るための凹部を含む。電池９６４ａ〜９６４ｄは、電池ドア９６５を介して制御装置９０６の底部９６３からのみ接近可能である。図２６Ａに示すように、第１及び第２の延出部９６７ａ、９６７ｂは、制御装置９０６の第１及び第２の凹部９６９ａ、９６９ｂ内へ延びるように、電池ドア９６５を傾けることによって、制御装置９０６に装着される。その後、電池ドア９６５から延出するタブ９７７ａ、９７７ｂの外側に湾曲したフランジ９７５ａ、９７５ｂが制御装置９０６の対応する凹部９７９ａ、９７９ｂ内に嵌めこまれるまで、電池ドア９６５の可撓部９７３が内側へ屈曲されるように、電池ドア９６５は回転して制御装置９０６と接触する。電池９６４ａ〜９６４ｄの交換又はそれ以外の目的のために電池ドア９６５を取り外す時、上方へ延出するタブ９８１が内側に押圧され、これによって、可撓性部分９７３を内方へ屈曲させ、タブ９７７ａ、９７７ｂを凹部９７９ａ、９７９ｂから引き離し、これによって、電池ドア９６５が取り外される。
【００６３】
上記のように、電池は、多数でも少数でも、電気必要条件に応じて、提供され得る。電池９６４ａ〜９６４ｄは、全体が、第１の印刷回路基板９６６（図１８及び図１９）と第２の印刷回路基板９６８（図１８、図２０及び図２１）によって担持される電気部品に直列に接続される。
【００６４】
第１の印刷回路基板９６６は、ＬＥＤ組立品９７０（印刷回路基板９６６によって担持される他の電気部品は簡単化のために図示しない）を含む多数の電気部品を担持する。図２８を詳細に参照すると、組み立て中、第１の印刷回路基板９６６は、２本のねじ９７２ａ、９７２ｂを開口９７４ａ、９７４ｂに挿入することによって、制御装置９０６に取り付けられ、ここで、ねじ９７２ａ、９７２ｂは、制御装置９０６から上方へ延びるねじボス９７６ａ、９７６ｂ内へ延出する。第１の印刷回路基板９６６がこのように取り付けられる時、ＬＥＤ ９７０は、制御装置９０６のカバー部９８２の中心平面９８０を貫通して延びる開口９７８内に位置決めされる。ＬＥＤ ９７０は、同じ色を発色し、図１２〜図２１、図４５及び図５０の実施の形態に関して説明されているのと同様に、離間され、付勢される。
【００６５】
更に、図２８及び図２９に示すように、それぞれ、制御装置９０６のカバー部９８２は、一組の４個のねじ９８４ａ〜９８４ｄによって、制御装置９０６の底部９６３に保持される。一組の４個のねじ９８４ａ〜９８４ｄは、ワッシャ９８５ａ〜９８５ｄのそれぞれを介して、延びており、底部９６３に一体化されているか、そうでなければ、底部９６３に固着されている、ねじボス９８６ａ〜９８６ｄのそれぞれの内部に延出している。
【００６６】
第２の印刷回路基板９６８は、図２９に詳細に示されており、ねじ９９０ａ及び９９０ｂによってスタンドオフ９９２ａ及び９９２ｂのそれぞれに取り付けられている。スタンドオフ９９２ａ、９９２ｂは、係止板９９３と一体化しているか又は固着されている。第２の印刷回路基板９６８の第１と第２の下部隅部９９４ａ、９９４ｂ（図３０）は、制御装置９０６内に形成された第１と第２のスロット９９６ａ、９９６ｂ内に挿入され、その内部で第２の印刷回路基板９６８を保持する。第１と第２のスイッチ１０００ａ〜１０００ｄは、第２の印刷回路基板９６８によって担持され、ボタン１００２ａ〜１００２ｄのそれぞれによって接触可能とされる起動部材を含む。ボタン１００２ａと１００２ｂを押し下げることによって、関連するスイッチ１０００ａと１０００ｂのそれぞれを閉成させる。第１のボタン１００２ａを押し下げることによって蝋燭組立品９００のライトショーモードを起動させ選択し、さらに、上記に詳細に説明したように、様々なモードを介してスクロールした後に、このライトショーを停止させる。第２のボタン１００２ｂは、ライトショーにおけるカラー変形を休止又は停止させ、これによって、現在表示されているカラーを維持する。再び第２のボタン１０２ｂを押し下げることによって、選択されたライトショーのモードにおける動作を反復する。
【００６７】
図３１及び３２は、両方ではないが、光又は音声を発することができる蝋燭組立品１１００のさらに他の実施の形態を示す。具体的には、図３１及び図３２における実施の形態は、ボタン１１０４ａ、１１０４ｂの作動に応答して、領域１１０２（図３２）内の図１２〜図２１、図４５及び図５０の実施の形態において示されている方法において光を発展させるための回路及びＬＥＤを含む。ボタン９０４ａは、押し下げられると、蝋燭ホルダ１１０内のＬＥＤの付勢を生じる一方、ボタン１１０４ｂが作動すると、図１２〜図２１、図４５及び図５０に関して上記に記載されているモードのような異なる付勢モードにおいて、ＬＥＤが点火されるようにする。
【００６８】
当然、図３１及び図３２のＬＥＤ及び回路の代わりとしてスピーカ及び適切な回路を使用することによって、これらの図に示されている実施の形態は変更することができ、これによって、例えば、図１２〜図２１、図４５及び図５０の実施の形態において記載されているように、光に対して、蝋燭組立品１１００によって、音声を発生させるために変更されてもよい。また、本明細書中に記載されている電気部品を制御するために、必要に応じて、任意の構成及び任意数のスイッチ及び／又はボタンを使用してもよい。例えば、光及び音声を発するように構成されている蝋燭組立品１１００は、制御装置９０６の底部９６３（又は任意の他の部分）内に配置される三つのコントロール（図示しない）を有するように構成されてもよい。一つのコントロール、例えば、オンオフスイッチとポテンショメータを組み合わせたものがサウンドショーの電源をオンオフし、サウンドの音量を調整するために使用され得る。第１のボタンは、ライトショーの電源をオンオフし、（複数のライトショーを表示する能力があれば）様々なライトショーから一つを選択可能にするために提供され得る。（例えば、ライトショーモードを選択するために第１のボタンがその最初の押し下げの第１の期間内で特定の回数だけ押下げられ、その後、第１のボタンが最初の期間の後にさらに押し続けると、ライトショーを休止することができる。第１のボタンの更に別のも押し下げによって、ライトショーが繰り返され、引き続き第１のボタンを押し下げることによって、異なるライトショーモードの選択又はライトショーの停止が可能となる。サウンドショーモードをスクロールするために第２のボタンが提供されてもよい。蝋燭組立品１１００上の任意の所望の位置にコントロール、スイッチ、及び／又はボタンが配置されてもよい。
【００６９】
さて、図３３から図３８Ａを参照すると、蝋燭組立品１２００は、詰め替えホルダ１２１６の上に配置され、芯１２０８が貫通しており、詰め替えホルダ１２１６の上に配置された燃料材料１２１１を充填した蝋燭取替部１２０２を含む。取替部ホルダ１２１６は、制御装置１２０６に配置された分散器１２１４の上面に隣接して配置されている。制御装置１２０６は上記に示され記載されたものと同様の電子部品を含んでいるので、このような同様の電子部品については図示せず、その説明も省略する。光透過性もしくは半透明のシース１２３０が、制御装置１２０６に載置され、蝋燭取替部１２０２、取替部ホルダ１２１６、及び分散器１２１４を囲む。３つのＬＥＤ（図示せず）は、制御装置１２０６の上面の穴又はカットアウト１２３６より上に位置する。また、雌要素１２２４及び雄要素１２２６などの施錠メカニズムは制御装置１２０６を蝋燭取替部１２０２に位置合わせする。本実施の形態において、施錠メカニズムは、取替部ホルダ１２１６の上面に形成された雄要素１２２６と相補的な蝋燭取替部１２０２の底面上に雌要素１２２４を含む。雌要素１２２４及び雄要素１２２６の結合は、制御装置１２０６内に配置された電気部品に芯１２０８に配置されている炎１２５４を動作可能に連結するために後述するメカニズムを、機能的に位置合わせに役に立つ。蝋燭組立品１２００のさまざまな部品を位置合わせするために、施錠メカニズムが必ずしも必要とされない場合、及び／又は、蝋燭組立品（例えば、図３８参照）に組み込まれない場合、４オンスのガラス製のボーティブ蝋燭取替部１２０２が蝋燭組立品１２００と共に使用され得る。例えば、Ｓ．Ｃ．Ｊｏｈｏｎｓｏｎ  ａｎｄ  Ｓｏｎによって製造されるような、様々な形状及びサイズを有する他のガラス製のボーティブも蝋燭組立品１２００とともに使用され得る。
【００７０】
図３３及び図３６を参照すると、芯１２０８に配置されている炎１２５４の有無を検出するための実施の形態が示されている。蝋燭組立品１２００は、光ファイバ１２０４が、芯１２０８に横に沿って配置されている蝋燭取替部１２０２を含む。炎１２５４から発光される方向Ａに移動する光は、光ファイバ１２０４によって取替部１２０２の底部に向けられる。光は光ファイバ１２０４から方向Ｂに発光され、光路を介して、取替部１２０２の底部を通過する。光路を通過する光は、感感光センサ１２１０などの感光センサによって検出される。光路は、例えば、クリア（透明）ガラス、つや消し、有色及び／又は半透明の蝋燭取替部１２０２のつや消しではない及び／又は無色部分、又は他の光透過性媒体であってもよい。一実施の形態において、炎１２５４が燃料１２１１を溶かすにつれて、燃料、芯１２０８及び／又は光ファイバ１２０４が同様の割合で消費され（図示しない）、これによって、燃料の高さが下がるが、蝋燭取替部１２０２がある限り、光ファイバが芯上の炎から感光センサ１２１０まで光を方向付けるように、芯と光ファイバが互いに動作可能な空間関係で維持される。
【００７１】
図示しないが、他の実施の形態において、光ファイバ１２０４が、芯１２０８に織込まれてもよい。また、光ファイバ１２０４は、環境光が感光センサ１２１０によって移動されたり、検出されたりしないように、熱染色（ｔｈｅｒｍｏｃｈｒｏｍａｔｉｃ）インク（図示しない）によってコーティングされていてもよい。本実施の形態において、熱染色インクは、第１の温度（例えば、約１２０°Ｆ〜約１４０°Ｆ）以下で、光ファイバ１２０４にコーティング又は塗布されたときに、光不透過性又は光吸収性のカラーを有する。芯１２０８を点灯した時、炎１２５４は第１の温度より高い第２の温度に熱染色インクを加熱し、これによって、熱染色インクは、光を透過しない又は光吸収性のカラーから、光ファイバ１２０４を介して光を通過させることができるカラー（例えば、透明色）へ、変更させる。本実施の形態において、熱染色インクが炎１２５４から十分な熱を露出された時、光は、光ファイバ１２０４を介して感光センサ１２１０へ移動してもよい。本発明において有用である熱染色インクは、例えば、米国特許出願公開第２００４／０１６０７６４号に記載されているインクを含む。本発明において有用である更なる熱染色インクは、例えば、米国特許第特許出願公開第２００５／００２４８５９号に記載されているインクを含む。また、本発明において有用な熱染色インクは、Ｃｈｒｏｍｉｃｏｌｏｒ（クロミカラー（登録商標））インクなどのマツイインターナショナル社製の熱染色インクを含む。更なる実施の形態において、芯１２０８は、感光センサ１２１０へ光を伝達する透明のマイクロ蝋（例えば、ポリエチレン及び／又はポリプロピレン）シース（図示しない）を有していてもよい。
【００７２】
図３６に表される実施の形態と同様の他の実施の形態として、図３４及び図３７に示されているように、感光センサ１２１０は、芯１２０８上に配置された炎１２５４を直接検出できるように芯１２０８に十分近接して配置される。ここで、感光センサ１２１０は、芯１２０８に（例えば、蝋燭取替部１２０２の壁１２２２の頂部１２２８内又は上において）動作可能に配置されている。感光センサ１２１０は、炎１２５４から発光される（例えば）方向Ｃを有する光が感光センサ１２１０によって感知されるように位置決めされる。
【００７３】
図３５及び図３８に示されている他の実施の形態において、蝋燭組立品１２００が示されている。蝋燭組立品１２００は、直径が約１／２インチであり、芯１２０８に隣接して配置され、蝋燭取替部１２０２のベースに延出される光透過性の透明ジェル蝋燭芯１２３２を有する、蝋燭取替部１２０２を含む。炎から発光する方向Ａの光は、透明ジェル蝋燭芯１２３２によって取替部１２０２の底部へ連絡され、取替部１２０２の光路を介して方向Ｂに向かって通過する。次に光路を通過する光は、電子ベース１２０６上又はその内部に配置された感光センサ１２１０によって検出され、これが電気部品を起動状態、及び／又は、停止状態にする。一実施の形態において、最初に使用した後、透明ジェル蝋燭芯１２３２と蝋１２１１部品は、混合され、蝋燭取替部１２０２の頂部において冷却された時（図示しない）に固化した時に不透明の膜を形成する。不透明膜は、光が透明のジェルの蝋燭芯１２３２を通過しないように、光を阻止又は遮断し、これによって、制御装置１２０６内の電子部品を停止状態にすることができる。光を透過しない蝋膜（図示しない）が、製造作用オブジェクト間に蝋燭詰め替え部１２０２の最頂部に塗布され、これによって、周囲光が電気部品を使用する前に起動されないようにすることができる。本発明において有用である光透過性透明ジェル蝋燭芯材料は、米国特許第６，８２７，４７４号に開示されている。本発明において有用な更なる光透過性材料は、米国特許第６，０５０，８１２号に開示されている。
【００７４】
感光センサ１２１０は、さまざまな電気部品を起動させるか又は有効とするために、コネクタ１２１２（例えば、当業者に公知の電線又は他の装置）を介して、制御装置１２０６内の電気部品に接続される。光通信技術の組合せによって、例えば、蝋燭の点火時、又は、不点火時に、光ファイバ１２０４、透明ジェル芯１２３２、感光センサ１２１０、制御装置１２０６内の部品が動作可能に連結され、制御装置１２０６内で電気部品を起動及び／又は停止状態にするため、及び／又は、本発明に開示されている個別のスイッチメカニズムによって電気部品が起動されるのを有効とするために使用されてもよい。光ファイバ１２０４と感光センサ１２１０の組み合わせの不連続な構造特性によって、制御装置１２０６が複数の蝋燭取替部１２０２によって再使用されることが可能となる。
【００７５】
例えば、図３７に示されているように、感光センサ１２１０が、蝋燭取替部１２０２の一体的な部分である時の実施の形態において、コネクタ１２１２は、コネクタの一部１２１２ａが取替部１２０２の底部の接続界面１２１８に接続するように感光センサ１２１０から接続界面１２１８を跨いだ状態で不連続とされる。接続界面１２１８は、制御装置１２０６に一体形成されているか又は装着されている分散器１２１４上に配置された取替部ホルダ１２１６内又はその上で対応する接続界面１２２０に接続される。制御装置１２０６内の感光センサ１２１０と電子部品の接続を完了するには、制御装置１２０６上の接続界面１２２０は、分散器１２１４と協働する他の接続断面１２１２ｂを介して制御装置１２０６に動作可能に接続される。
【００７６】
図３８Ａに示される他の実施の形態において、蝋燭組立品１２００は、例えば、柱状蝋燭の形態において蝋燭取替部１２６０を含む。蝋燭取替部１２６０は、芯１２０８と、本明細書中のどこかに記載されているものと同様の光伝送及び／又は伝熱要素１２７４（例えば、光ファイバ、ライトパイプ、サーミスタ、及び／又は導線）を含む。本実施の形態において、施錠メカニズムが相補の雌ねじ要素１２６４に対応する雄ねじ要素１２６６という形をとることができることが考えられされる。例をあげると、例えば、雌ねじ要素１２６４を有する蝋燭取替部１２６０は、制御装置１２０６の雄ねじ要素１２６６上へ外嵌され得る。更に、例えば、感光センサ及び／又は熱センサを含む炎検出センサ１２１０は、芯１２０８上の炎１２５４の存在を検出するたに雄ねじ要素ジェされ得る７に配置されていてもよい。更なる実施の形態において、ＬＥＤ（図示せず）は、雄ねじ要素１２６６内又はその上に配置され得る。
【００７７】
例えば、感光センサ１２１０が蝋燭取替部の一部ではない時、感光センサがシース１２３０（図示しない）に装着されるか又は配置されている場合、コネクタ１２１２は、感光センサ１２１０から制御装置１２０６内の電気部品までつながっていてもよい。感光センサ１２１０以外に又はこれに代えて、他の熱センサ、光センサ、及び／又は熱及び感光センサが用いられてもよい。例えば、本発明に有用な熱及び／又は感光センサは、米国特許第６，４９１，５１６号に記載されているものを含む。本発明に有用な他の感光センサは、ＭＩＮＩ−ＢＥＡＭ（ミニビーム（登録商標））感光センサ（例えば、型番号ＳＭＥ３１２の全てのバリエーション）などのバナーエンジニアリング社（Ｂａｎｎｅｒ Ｅｎｇｉｎｅｅｒｉｎｇ  Ｃｏ．，）から入手可能な感光センサを含む。本発明において有用な光センサの例としては、ＪＰ ４０８１８５７１０Ａに記載されている光センサが挙げられる。本発明に有用な光ファイバ及び感光センサとしては、米国特許出願公開番号２００５／０１１１２１７に記載されている光ファイバ及び感光センサが挙げられる。本発明に有用な更なる光ファイバ及び感光センサとしては、例えば、米国特許第５，８０７，０９６号に記載されている光ファイバ及び感光センサが挙げられる。本発明に有用な更なる光ファイバ及び感光センサとしては、例えば、米国特許第６，０３３，２０９号に記載されている光ファイバ及び感光センサが挙げられる。例えば、本発明に有用な更なる感光センサとしては、米国特許第６，４６８，０７１号に記載されている感光センサが挙げられる。例えば、本発明に有用な光ファイバ及び感光センサとしては、米国特許出願公開番号２００２／０１１９４１３に記載されている光ファイバ及び感光センサが挙げられる。本発明に有用な更なる光ファイバ及び感光センサとしては、例えば、米国特許第カ特許出願公開番号２００５／００９３８３４に記載されている光ファイバ及び感光センサが挙げられる。本発明に有用な更なる光ファイバ及び感光センサとしては、例えば、米国特許第４，８０４，３２３号に記載されている光ファイバ及び感光センサが挙げられる。本発明に有用な更なる光ファイバ及び感光センサは、例えば、米国特許第４，４７７，２４９号に記載されている光ファイバ及び感光センサが挙げられる。本発明に有用な更なる光ファイバ及び感光センサとしては、例えば、米国特許第５，９２１，７６７号に記載されている光ファイバ及び感光センサが挙げられる。本発明に有用な付加的な感光センサとしては、例えば、米国特第６，０５０，８１２号に記載されているそれらが挙げられる。
【００７８】
次に、図３９〜図４３を参照する。蝋燭組立品１３００は、溶融皿１３０４を支持し、電気部品（図示しないが、上記のものと同様）を収容する制御装置１３０６の上に配置されている（ガラス、樹脂、ポリマー、金属、木、岩、中空材料、多孔質材料、液体充填材料等で作成された）支持台１３１６を含む。分散器１３２２は、支持台１３１６の下で配置される。溶融皿１３０４上では、芯ホルダ１３１４が、炎１３５４が配置された芯１３０８を保持している。電気部品によって制御される３個の発光ダイオード（ＬＥＤ）（図示しないが前述されている）が制御装置１３０６の上面の穴又は切り抜き部１３３６に又はこの上方に配置されている。
【００７９】
図３９〜図４３に示される実施の形態において、蝋燭組立品１３００内の電気部品に炎１３５４を動作可能に連結させる。蝋燭組立品１３００は、コネクタ１３１２（例えば、支持台１３１６に装着されたワイア）を介して、支持台１３１６に装着された接続界面１３１３に動作可能に接続された炎及び／又は熱センサ１３１０を含む。制御装置１３０６内の熱センサ１３１０と電気部品の結合を完了するために、接続界面１３１３は、コネクタ１３１７によって制御装置１３０６の電気部品に動作可能に連結された相補的接続界面１３１５に接続される。
【００８０】
図３９に示される実施の形態において、蝋燭組立品１３００には、溶融皿１３０４と熱的に連通している熱センサ１３１０が組み込まれている。熱センサ１３１０は、芯１３０８上の炎１３５４の有無による溶融皿の温度の上昇を検知する。熱センサ１３１０によって熱を検知することによって、制御装置１３０６内に配置された電気部品の起動又は有効化が生じる。一旦、炎１３５４が消炎すると、溶融皿１３０４は冷却され、これによって熱センサ１３１０が電気部品を停止又は非有効化する。熱センサ１３１０の例としては、サーミスタ、ホール効果センサ、及び／又はリードスイッチなどを含むが、これらに限定されない。
【００８１】
他の実施形態において、図４０に示すように、蝋燭組立品１３００は、熱センサ１３１０に隣接して配置されている、磁石１３２８の熱における変化と協働する磁界における変化を検出するためにホール効果センサなどの、熱センサ１３１０を含む。熱センサ１３１０は、制御装置１３０６内の電気部品を起動、停止、有効化及び／又は非有効化する。この実施の形態において、単一磁石１３２８は、芯ホルダ１３１４を保持するために機能するだけでなく、電気部品の制御に応じて炎１３５４を連係させるために熱センサ１３１０を併用して機能する。炎１３５４との直接的又は間接的に熱連通している更なる磁石は、熱センサ１３１０と併用され、これによって、炎を電気部品と動作可能に連係すると考えられる。更なる実施の形態において、ホール効果センサ１３１０は、芯ホルダ１３１４の有無を感知するために用いてもよい。例えば、蝋燭組立品１３００に芯ホルダ１３１４が無い場合、ホール効果センサ１３１０は、磁石１３２８の変化した磁界によって、芯ホルダの不在を感知することができる。芯ホルダ１３１４の不在の情報が制御装置１３０６の電気部品に伝達され、次に、可聴及び／又は視覚的な催促となって、ユーザに燃料要素の交換を喚起する。
【００８２】
図３９及び図４０に示された実施の形態と同様に、図４１は、支持板１３２０（例えば、ガラス製）を含む蝋燭組立品１３００を示す。支持板１３２０には、穴１３３８が貫通しており、熱センサ１３１０が炎１３５４又は磁石１３２８の近傍に位置決めすることが可能となり、結果的に、炎に応答した熱における変化又は磁石の磁力における変化に対する熱センサの感度が高くなる。
【００８３】
例えば、本発明に有用な感熱センサは、米国特許第５，０１５，１７５号に記載されているものを含む。本発明に有用な更なる熱センサは、例えば、米国特許第４，９８３，１１９号に記載されているものを含む。本発明に有用な更なる感熱センサは、例えば、米国特許第５，０５７．００５号に記載されているものを含む。
【００８４】
制御装置１３０７内の電気部品の起動、停止、有効化、及び／又はディスエーブル化に対して炎１３５４を動作可能に連係させるための他のメカニズムは、図４２に示されている。ここで、蝋燭組立品１３００は、溶融皿１３０４の下方に装着され、溶融皿１３０４と熱的に連通する熱染色（ｔｈｅｒｍｏｃｈｒｏｍａｔｉｃ）ストリップ１３１８と、光電センサ１３２４を具備している。芯１３０８を点灯するときに、溶融可能な燃料（図示しない）が溶けて溶融皿１３０４を満たす。溶融した燃料から発生する熱によって熱染色ストリップ１３１８が第１のカラーから第２のカラーへ変化する。熱染色ストリップ１３１８の第１のカラー（例えば、約１００°Ｆ以下、約１１０°Ｆ以下、約１２０°Ｆ以下、約１３０°Ｆ以下、約１４０°Ｆ以下、又は約１５０°Ｆ以下の温度）から第２のカラー（例えば、約１００°Ｆ以上、約１１０°Ｆ以上、約１２０°Ｆ以上、約１３０°Ｆ以上、約１４０°Ｆ以上、又は約１５０°Ｆ以上の温度）までの変化は、光電センサ１３２４によって感知される。光電センサ１３２４は、ＬＥＤ１３２５から熱染色ストリップ１３１８へ向かうＤ方向に光線（例えば、赤外線又は可視光線）を発する。熱染色ストリップ１３１８からＥ方向に反射した光のカラーは、光電センサ１３２４内の感光セル１３２７（例えば、フォトレジスタ及び／又はフォトダイオード）によって検出される。コネクタ１３１２は、光電センサ１３２４を制御装置１３０６内の電気部品に接続する。図４４に示されている実施の形態と同様の実施の形態において、溶融皿１３０４は、支持板１３２０の表面に形成され、熱染色ストリップ１３１８は、直接、支持台１３１６と一体形成されている支持板の下側に直接取り付けられているこれによって、熱染色ストリップとガラス製の支持板が熱的に連通可能となる。所望されれば、周囲光からの妨害を低減するために、発光光線が、主波長を有するように（例えば、ブルーペクトルにおいて）調整されてもよい。或いは、主波長を有する発光光線を得るために、フルスペクトルの光源が適切なカラーの更なる光学フィルタ（図示しない）と一緒に使用されてもよい。
【００８５】
炎を本明細書中に記載されているさまざまな電気部品の起動と動作可能に連係させるための上記のメカニズムが、これらの電気部品の一つ以上が、炎が存在している時にのみ、及び／又は所定の温度（例えば、約１００°Ｆ以上、約１１０°Ｆ以上、約１２０°Ｆ以上、約１３０°Ｆ以上、約１４０°Ｆ以上、又は約１５０°Ｆ以上）に達した時にのみ、動作可能となるように、電池の寿命を最大化する更なる機能を有していてもよいと考えられる。また、蝋燭組立品が、炎を電気部品の起動に動作可能に連係させるためのメカニズムを具備している時、光と音のスイッチ（例えば、図１８の７００ｃ、ｄ及び７０２ｃ、ｄ）は取り外すことができ、音声レベルのボタンセットのみが製品上に残る（例えば、図１８の７００ａ、ｂ及び７０２ａ、ｂ）と考えられる。
【００８６】
施錠メカニズムの他の例が図４３に示されている。ここで、蝋燭組立品１３００は、毛管出っ張り部１３３４の下方の溶融皿１３０４の底面のキャビティ１３３２内に配置される第１の極性を有する第１の磁石１３２８を有する。上記同様、支持台１３１６の下、そして、制御装置１３０６の上には、表面に第２の極性を有する第２の磁石又は鉄材料１３３０が配置された光分散器１３２２が配置されている。第１の磁石１３２８の第１の極性と第２の磁石又は鉄材料１３３０の第２の極性は、支持台１３１６を制御装置１３０６に固着させる引力を両極性間に有するような配向にある。この固着システムによって、組み立てミスを起こさずに、支持台１３１６を取り外して清掃し、その後、制御装置１３０６の上へうまく戻すことができる。
【００８７】
次に、図４４を参照すると、図３９〜図４３に示される蝋燭組立品１３００と同様の蝋燭組立品１４００は、上記と同様の制御装置１４０６に組み込まれた電気通信リンク１４０２を有し、これによって、ユーザが、制御装置と協働する、制御装置の頂面において又はその上の穴１４３６を介して配置されている（図示されていないが前述されている）ＬＥＤからの光の効果及び／又は制御装置内で保持されているスピーカ１４３６が発する音響効果のような発揮する電気部品を再プログラムすることができる。本実施の形態において、溶融皿１４０４は、支持台１４２０の表面に形成される。また、溶融皿は、本明細書に記載されているように、溶融皿の動作を十分に容易にできる任意の材料から作成され得ることが考えられる。
【００８８】
電気通信リンク１４０２を介して、制御装置１４０６と協働する電気部品の再プログラムは、例えば、ユーザの自宅、インターネット、店舗内（例えば、再プログラムキオスク又は陳列棚装置）、及び／又は遠隔地を介して、当業者に公知の方法において、実行される。図示されていないが、本実施の形態において使用できると考えられる電気通信リンクの例としては、例えば、取り外し可能なデータ記憶媒体、ケーブル、ＵＳＢポート、無線周波センサ、赤外線センサ、有効なブルートゥース（登録商標）のリンク、電気的誘導通信リンク、音響スイッチ、振動検出スイッチ、（例えば、ｉＰｏｄ（登録商標）（アイポッド）又は他の携帯装置に接続される）フォノ（蓄音機型）ジャックが挙げられ、及び／又は、制御装置は、制御装置１４０６の再プログラムを容易にするためにドッキングベイで取り外し可能に接続されてもよい。リンク１４０２を設けることによって、季節ごとに再プログラム（例えば、クリスマスの音と光のテーマやハロウィーンの音と光のテーマを再プログラム）が可能となり、消費者が蝋燭を詰め替えることを思い出させることができる。プログラムには、例えば、話し言葉、言語レッスン、テープに吹き込まれた本、及び／又は、詩を含む任意のサウンドショー又はライトショーがプログラムの対象として考えられる。制御装置がライトショー及び／又はサウンドショーを動作させるためにプロセッサを使用するので、（例えば、本明細書において記載されているような）任意の共通インターフェースがライトショー及び／又はサウンドショーをコントロールする電気部品及びソフトウェアに組み込まれてもよい。また、電気通信リンク１４０２を介して制御装置と電気的接続を設立すること及び／又は一連のボタンを押し下げることによって、新しいライトショー及び／又はサウンドプログラムをダウンロードし、及び／又は、これを使用可能とする一連のインターフェースを開始することができると考えられる。例えば、個人用のディジタルアシスタント、パソコン又は他の装置を使用した電気的通信リンクを介して、制御装置に入力され得る個人用のライトショー及び／又はサウンドショーのプログラムをユーザが作成することを可能にするソフトウェアベースのアプリケーションプログラムも提供することができる。また、蝋燭組立品１４００上の任意の適切な場所に電気通信リンク１４０２を配置して、その動作を容易にすることもできる。
【００８９】
図５４に示される他の実施の形態において、蝋燭組立品１３００は、制御装置１３０６の電気部品（図示しない）の再プログラムを有効とするために、通信リンクとして使用され得るホール効果センサ１３１０を含む。本実施の形態において、ユーザは、コンピュータ及び／又は同様の装置（図示しない）に接続されている芯ホルダ状トランスデューサ１３６０を、コネクタ１３８０を介して、溶融皿１３０４の毛管出っ張り部１３３４上へ配置する。情報伝達可能な方法（例えば、２値法）で、磁界を変化させることによって、蝋燭組立品１３００のライト及び／又はサウンドエフェクトを制御する符号化されたプログラムを再プログラム（例えば、追加、消去、及び／又は変更）するために、情報は制御装置１３０６の電気部品へ送られる。
【００９０】
さらに他の実施の形態においては、本明細書中に記載されている電気部品に電力供給するために、充電可能な電池及び／又はＡＣアダプタが含まれていてもよい。
【００９１】
また他の実施の形態では、蝋燭組立品（図示せず）は、蝋燭組立品が液体の表面を浮遊する液体内に配置され得る。本実施の形態において、液体とは、例えば、水溜まり、湖、流れ、浴槽、水及び／又は他の液体の容器などを含むと考えられる。
【００９２】
他の実施の形態では、異なる香りを持つオイル及び／又は芳香を含み得る複数の燃料要素が組み込まれた蝋燭組立品（図示しない）が考えられる。多数の燃料要素はモジュール式であり、例えば、これらは、一緒に組み込まれて、一つの燃料要素を形成することもできる。燃料要素がモジュール式である場合、燃料要素が同時に燃焼した時、特定の比率の異なる香りの燃料要素が組み合わされ、特定の香り及び／又は芳香のブレンドを作成することができると考えられる。また、蝋燭組立品は、多数の燃料要素に受容するために多数の芯ホルダを有することもできる。後者の実施の形態において、例えば、消費者は、香りのブレンドを作成するために、同じ蝋燭組立品の異なる芯ホルダ上で異なって香り付けされた燃料要素を同時に燃焼させることを選択してもよい。予め選択された燃料要素の組み合わせとして、ユーザが、異なる香りを有する複数の燃料要素を含むキットを利用可能であること、又は、ユーザが、個人的な好みに応じて個人用の芳香のブレンドを作成可能であることがさらに想定される。
【００９３】
他の実施の形態において、制御装置１４０６のライトショー及び／又はサウンドショーにおいて変化を出すために、制御装置内で取り外し可能に設置される外部ハードディスク、ＰＤＡ（パーソナルディジタルアシスタント）、携帯電話、フラッシュドライブ、コンパクトフラッシュ（登録商標）メモリカード、及び／又はメモリースティックを含む取り外し可能なデータ記憶媒体（図示しない）が使用され得る。取り外し可能な装データ記憶媒体は、製造時に設置された制御装置のメモリと組み合わされて使用され、これによって、制御装置のメモリを増加させ、従って、制御装置のライトショー及び／又はサウンドショーの個数が増え、複雑化される。更に、取り外し可能なデータ記憶媒体は、例えば、話し言葉、語学レッスン、詩、祝日のライトショー及び／又はサウンドショー、大衆文化用のライトショー及び／又はサウンドショー（例えば、映画又は他の人気のあるイベントに対応するショー）、国際的なライトショー及び／又はサウンドショー、特定文化のライトショー及び／又はサウンドショーなどを含む任意の想定範囲のライト及び／又はサウンド情報を有することができる。取り外し可能なデータ記憶媒体は、パソコン又は当業者に知られている他の方法によってライトショー及び／又はサウンドショーに応じて再プログラムされてもよい。このようなショーは、取り外し可能な記憶媒体上で予めプログラムされてもよいし、及び／又は、取り外し可能な記憶媒体が、一つ以上のソースからショー及び／又はライト及び／又はサウンドのテーマを、無料で、ダウンロード代金を支払って、又は予約サービスを支払って、組み込むことができるように、必要に応じて変更され得る。
【００９４】
本明細書中に記載されている実施の形態のさまざまな組合せが、例えば、異なる構成及び／又はキットの状態で消費者が利用可能であることが想定される。これらの構成及び／又はキットには、例えば、燃料要素取替部、蝋燭ジャー取替部、取り外し可能なデータ記憶媒体、説明書、（例えば、前述されたものを含む）ソフトウェアベースのアプリケーションプログラム、電池、取替部品、カスタマイズできるエレメントが含まれ、これらには、さらに、デカール、塗料、ステッカー、文字、数字、図、及びこれらを組み合わせたものが含まれる。また、想定される構成及び／又はキットは、祭日のテーマ、（例えば、誕生日、特別な日、スポーツイベント、映画、及び他の人気の娯楽のような）イベントテーマ、私的なテーマなどを有し得る。キットは、完全な蝋燭組立品と、この蝋燭組立品に関連するアクセサリを有していてもよいし、キットは、蝋燭組立品の（例えば、溶融皿、電池、燃料要素、取り外し可能なデータ記憶媒体などの）個別の構成部品に向かって配向されてもよい。
【００９５】
種々の電気部品の起動に炎を動作可能に連係させるための本明細書中に開示されている種々のメカニズムは、記載されている蝋燭組立品又はその任意の変形のいずれかに組み込まれるように構成され得る。例えば、図４５〜図４９を参照すると、（電気部品を格納する制御装置を有する本明細書に記載された全ての実施の形態に共通に示されている図１８〜図２１に示された）プリント回路基板６６６と６６８上の構成部品は、図示去れているように一般的な方法でスピーカ７３０と電池６６４ａ〜６６４ｄ（図１４及び図１５参照）に相互接続されている。プリント回路基板６６６及び６６８に配置されている回路は、部品番号ＨＴ８６１９２の下でホルテックセミコンダクタ社（Ｈｏｌｔｅｋ Ｓｅｍｉｃｏｎｄｕｃｔｏｒ  Ｉｎｃ．）によって製造されるマイクロプロセッサのようなプロセッサ８００（図４５〜図４９参照）を含む。プロセッサ８００は、ＬＥＤ ６７０（緑ＬＥＤ６７０ａ、赤ＬＥＤ６７０ｂ、及び青ＬＥＤ６７０ｃを含む）を選択的に照らし、及び／又は、ディジタル式に符号化されたサウンドを、スピーカ７３０を介して再生することができるように、スイッチ７００ａ−７００ｄ又は後述する補助スイッチの起動に応答するようにプログラムされる。一実施の形態において、スイッチ７００ｃを一瞬閉とすると、プロセッサ８００によって、以下に詳細に記載される動作の四つのモードのうちの一つのモードで、ＬＥＤ ６７０を作動させる。スイッチ７００ｄを一瞬閉とすると、４つのサウンドパターンのうちの１パターンを再生するために、プロセッサ８００がスピーカ７３０に分配されるアナログ波形を展開する。スイッチ７００ａ又は７００ｂを閉とすることによって、スピーカ７３０によって再生される音量が増減される。
【００９６】
一実施の形態において、プロセッサ８００は、さらに、数列の接続電池６６４ａ〜６６４ｄによって出力される結合電圧が所定レベル未満に下がる時を判断する検出回路８０２に応答する。
【００９７】
次に、図４６を参照すると、回路に組み込まれた補助スイッチは、光センサ１２１０及び／又は熱センサ１３１０を含む。光センサ１２１０及び／又は熱センサ１３１０は、スイッチ７００ａ〜ｄ及び検出回路８０２と協働して、ＬＥＤ６７０の選択的な照明を制御し、及び／又は、スピーカ７３０を介して、ディジタル式に符号化されたサウンドを再生するために、プロセッサ８００を介して制御装置の電気部品と相互接続される。
【００９８】
熱及び／又は光の検出方法以外に、Ｃｌａｐｐｅｒ（クラッパ）（登録商標）の音響作動スイッチのような音声検出センサは、制御装置１２０６内で電気部品を起動及び／又は停止させるように開示されている光検出スイッチ方法を含む、本明細書中に開示されている実施の形態とは無関係に、又は、これらの実施の形態のいずれかと接続されて、用いられてもよい。可能性のある音声検出センサは、電子フィルタ（例えば、ＡＳＩＣ及び／又はディジタル信号プロセッサ）又は電気部品の他の組合せに機能的に連係されたマイクロフォンを含むことができる。機能上、音声検出メカニズムは、先行の設定からライトショー及び／又はサウンドショーを再スタートすることができ、又は、現行の選択をターンオン及び／又はターンオフさせることができる。他の実施の形態において、連続的に符号化された音声シーケンスが各スイッチ７００７００ａ〜ｄの動作をシミュレーションする。本発明の開示において有用な音響スイッチは、米国特許第５，４９３，６１８号に記載されたスイッチを含む。例えば、更なる有用な音響スイッチは、米国特許第５，６１５，２７１号に記載されたスイッチを含む。
【００９９】
一実施の形態において、音声検出センサ１８００は、図４７に示されるように、図４６に示したセンサと同様にプロセッサ８００に相互接続される。一実施の形態において、当業者に公知であるソフトウェアは、音声の検出を実行することができ、次に、表示されている音声検出ボックス１８０２は、信号コンディショナ（図示しない）及びアナログ／ディジタルコンバータ（図示せず）から形成される。
【０１００】
図４８は、図４２に示された実施の形態のための回路構成を示す概要図である。ここで、光電センサ１３２４は、ＬＥＤ１３２５からＤ方向への光線を射出し、光線は、支持板１３２０を通って、熱染色ストリップ１３１８からＥ方向へ反射する。反射光は、スイッチ７００ａ〜７００ｄと検出回路８０２に接続されているプロセッサ８００を協働的に調整する光電センサ１３２４内の感光セル１３２７によって検出される。
【０１０１】
図４９は、ライトショー及び／又はサウンドショーのプログラムを変更するために電子通信リンクを介してプロセッサの再プログラミンングを有効とする、電子通信リンク１４０２とプロセッサ８００の相互接続を示す。
【０１０２】
図５０〜図５３は、プロセッサ８００内に記憶されたプログラムの実行に応答しているプロセッサ８００の動作を示すフローチャートである。ブロック８１０は就寝及び／又はセツデンモードの動作を実施し、これによって、電池が交換されたばかりで、十分な電圧が送られているかを検出するための回路を除いて、プロセッサ８００の大部分の機能が停止される。この動作は、ブロック８１２によって図示され、ブロック８１２は、電池電圧が低いかどうかを判断チェックする。電池電圧が低い場合、結合電池電圧が所定レベルを超過するまで、コントロールはブロック８１０へ戻る。結合バッテイル電圧が所定レベルを超過すると、一連のブロック８１４、８１６、８１８及び８２０が、ボタン７０２a〜７０２ｄのどのボタンが押し下げられたかを判断チェックする。ブロック８１４、８１６、８１８及び８２０のいずれかが、ボタン７０２a〜７０２ｄのいずれかが押し下げられたと判断した場合、コントロールは、一連のブロック８１４、８１６、８１８及び８２０のうちの一つへ進む。具体的には、ブロック８１４が、サウンドボタン７０２ｄが押し下げられたと判断した場合、ブロック８２２は、プロセッサ８００に記憶された表に従って符号化されたサウンドエフェクトを再生する。ブロック８１６が、ライトボタン７０２ｃが押し下げられたと判断した場合、プロセッサ８００内に記憶された表によって決定されるライトショーなどのライトエフェクトがＬＥＤ６７０を好適に付勢することによって再生される。
【０１０３】
サウンドボタン７０２ｄ及びライトボタン７０２ｃは、プロセッサ８００が、異なるサウンドエフェクト及びライトエフェクトを介してサウンドもライト条件もない状態に遭遇させる。一実施の形態において、特定のライトエフェクトの選択が結果的には特定のサウンドエフェクトを選択することにはならないという意味でサウンドエフェクトとは無関係である。また、その逆も言える。一実施の形態において、サウンドボタン７０２ｄの瞬間的な押下げによってプロセッサ８００は以下のように動作する。
ノーサウンド＝＞サウンド１ ＝＞サウンド２ ＝＞サウンド３ ＝＞サウンド４ ＝＞ノーサウンド
同様に、ライトボタン７０２ｃを何度も瞬間的に押下げることによって、プロセッサ８００は以下のようなシーケンスを受ける。
ノーライト＝＞ライトシーケンス１＝＞ライトシーケンス２＝＞ライトシーケンス３＝＞ライトシーケンス４＝＞ノーライト
【０１０４】
プロセッサが同数のサウンドシーケンスとライトシーケンスとを受ける必要は、ないことに注目されたい。また、サウンドシーケンスとライトシーケンスの数は、より多かったり少なかったりする。
【０１０５】
ボリュームアップボタン７０２ａ又はボリュームダウンボタン７０２ｄが押下げられると判断された場合、ブロック８２６及び８２８は、それぞれ、スピーカ７３０から発せられるサウンドのレベルを増減させる。
【０１０６】
ブロック８２２、８２４、８２６又は８２８からの制御は、ブロック８３０へ渡され、ブロック８３０は、蝋燭組立品制御装置６０６が、例えば、３時間などの所定の時間、動作したかを判断チェックする。そうである場合は、コントロールはブロック８１０へ戻る。そうでない場合、サウンド機能及びライト機能の両方がオフ状態であるかを判断チェックする。そうである場合、コントロールはブロック８１０へ進み、そうでない場合、コントロールはブロック８１２へ渡され、ブロック８１２は、電池６６４の結合電圧が所定レベより上であるかどうかを判断チェックする。
【０１０７】
一実施の形態において、ＬＥＤ６７０は、ユーザによって個別に選択され得る複数のライトショーを提供するように動作する。例えば、ＬＥＤ６７０ａ〜６７０ｃの各々は、任意の特定の時間において２５６個の個別の電流値のうちの一つを受信し、これによって特定のＬＥＤ６７０によって発せられたカラーに対してその時間において２５６回の光の輝度レベルの一つの展開を生じることができる。ＬＥＤ６７０は小型で互いにから密着して離間されているとともにこれによって展開されるライトが分散されるので、人間の目は、ＬＥＤ６７０によって発せられる個別のカラーとは反対に、組み合わされたカラーを知覚する。従って、このような実施の形態において、ＬＥＤは約１６７０万色を示すことができる。明らかに、個別の付勢方法が使用され、これによって、必要があれば、（無限のカラー数を含む）過剰又は過少のカラー数が表示されてもよい。
【０１０８】
例示しているように、プロセッサ８００は、特定数のライトショーを表示するようにプログラムされてもよい。その場合、ライトショーは、特定のカラーが表示されるまで、ボタン７０２ｃを押下げることによって、個別に選択可能であり、所望のライトショーが選択されたことを示す。その後、一つのカラーから次のカラーまでの両間で、表示されたカラーが変化し、又は、「モルフィング」されることによって、ライトショーは自動的に進行され得る。例えば、赤みがかったオレンジ色は、最初、約7秒間、表示され、その後、変移によってオレンジ色に変あり、次に、明るいイエローオレンジ色に変化し、再度、赤みがかったオレンジ色に戻る。各カラーは、例えば、１４秒間の持続期間表示され、１４秒間と１４秒間の間に１０秒の変移部間隔がおかれる。ＬＥＤの輝度は、開始と終了のレベル間の変移部間隔に対して線形又は非線形に変化し得る。さらに必要があれば、この１４秒間の表示期間は異なる期間を有してもよい。実際、期間から期間までの長さは一定であってもよいし、変化してもよい。さらに、１０秒間の間隔はその期間がより長くても短くてもよいし、間隔と間隔との間は、一定であっても、変化してもよい。更なる例としては、オレンジ色は最初の６秒間表示され、次の６秒間は消え、黄色が１２秒間続く。この後、６秒間無色となり、次に、緑色が１２秒間、続く。さらに６秒間無色が続き、青色とピンク色が連続して１２秒間維持され、この後、無色が６秒間続き、次にオレンジ色が６秒間続き、この周期全体が反復される。任意数のカラーの任意の他のモルフィングも必要に応じて取り扱うことができる。
【０１０９】
ユーザは、カラーモルフィングを休止又は停止するための手段を設けており、これによって、休止又は停止ボタンを押下げることによって現在表示されているカラーを維持することができる。例えば、二つのボタンが設けられ、第１のボタンは、ユーザによって最初に押下げられた時にライトショーを起動すると共に、引き続いて押下げることによってライトショーからライトショーへスクロールするように構成された第１のボタンを設けている。最終のライトショーモードを全体と通した後で、第１のボタンを押下げることによって、ライトショーが停止する。ライトショーのカラーモルフィングの間に押下げられた時、第２のボタンは、カラーモルフィングが現在表示されているカラーのまま休止又は停止されるように構成され得る。第２ボタンを再度押下げると、ライトショートカラーモルフィングは、ライトショーが休止され、又は、ライトショーが停止された時点から続けて行われる。休止又は停止モードの間に第１のボタンを押下げることによって、カラーモルフィングを連続させた状態で、ライトエフェクトを次のライトショーへ進行させ得るライトエフェクトが最終のライトショーモードで動作している場合は、ライトエフェクトが終了する。
【０１１０】
図５１は、以下に説明される熱染色ストリップを含む実施の形態を除く、光検出センサ（図３３から図３８）を含む実施の形態のプロセッサによって実行されるプログラムを示すフローチャートである。図５０と異なって、ブロック８３４は、蝋燭が点火されるかどうかを判断するためにブロック８１２とブロック８１４とを仲裁する。蝋燭が点火されていなければ、制御は、ブロック８１０へ戻る。そうでない場合、蝋燭が点火されていて、ブロック８１４、８１６、８１８又は８２０のいずれかが、ボタン７０２ａ〜７０２ｄのいずれかのボタンが押下げられたと判断した場合、コントロールは、一連のブロックブロック８２２、８２４、８２６又は８２８のいずれか一つへ渡される。蝋燭が点火されていて、ブロック８１４、８１６、８１８又は８２０のいずれも、ボタン７０２ａ〜７０２ｄのいずれかが押下げられたと判断しなかった場合、コントロールはブロック８３２へ渡される。
【０１１１】
図５２は、ライトショー及び／又はサウンドショーのコントロールにおいて音声検出センサの動作を示すフローチャートである。ブロック８３６は、遠隔「オン」のリクエスト（例えば、可聴コマンド又は他の音声信号）が発生したかを判断する。遠隔「オン」のリクエストが発生した場合、コントロールはブロック８４０へ進み、遠隔「オフ」のリクエストが発生したかを判断する。遠隔「オフ」のリクエストが発生した場合、コントロールはブロック８１０へ戻る。遠隔「オフ」のリクエストが発生していない場合、コントロールはブロック８３０へ渡される。ブロック８１４、８１６、８１８又は８２０のいずれも、ボタン７０２ａ〜７０２ｄのいずれかが押下げられたと判断しなかった場合、図５０に示されるように、コントロールは、ブロック８１０ではなくブロック８３６へ送られる。
【０１１２】
図５３は、熱センサ（例えば、上記のような熱センサ）の動作だけでなく、熱染色ストリップ１３１８と組み合わされて使用される光センサ１３２４の動作を示すフローチャートである。このフローチャートは、ブロック８１４、８１６、８１８又は８２０のいずれも、ボタン７０２ａ〜７０２ｄのいずれかが押下げられたと判断しなかった場合に、コントロールがブロック８３０へ戻って、システムが、１０分間、作動していたかどうか（ライトショー及び／又はサウンドショーを再生したかどうか）を判断することを除いては、図５０のフローチャートと同様である。１０分間の動作が発生していなかった場合、コントロールは、ブロック８３２へ戻る。ブロック８３２は、任意の制御ボタンが押下げられたかどうかを判断し、ボタンが押下げられていない場合、コントロールはブロック８１０へ戻り、ボタンが押下げられていた場合、コントロールはブロック８１２へ戻る。ブロック８３０によって判断された通りに、１０分間の動作が発生していた場合、コントロールはブロック８３４へ戻り、蝋燭が点火したかどうかをテストする。蝋燭が点火していた場合、コントロールはブロック８３２へ戻り、そうでない場合、コントロールは、ブロック８１０へ戻る。この１０分間の動作タイムアウト特性は本発明を説明するために例示されているにすぎない。ただし、このタイムアウト期間は、炎センサ又は他の制御メカニズムと連係する制御装置の必要とされる動作に対して適切な時間の長さであってもよいことが想定できる。
【０１１３】
図５５に戻ると、本発明の一実施の形態による蝋燭組立品１５００が示されている。蝋燭組立品１５００は、発光ダイオード（ＬＥＤ）などの一つ以上の光源、電源、電源内の点火回路、及び／又は光組立品１５０４を起動させるための制御装置１５０６を含むベース１５０２を含む。制御装置１５０６は、既に図解され記載されている電子部品と同様の電子部品を含むので、その図解又は説明は省略した。また、光組立品１５０４は、本明細書に記載されているような任意の構成のＬＥＤと回路を含んでいてもよい。しかしながら、３色のＬＥＤは、本明細書中に示されている実施の形態のいずれかと組み合わされて使用され得る。
【０１１４】
円筒形中空ライトパイプ又は取替部ホルダ１５０８は、内部空間１５１２を画定する側壁１５１０を有する。円形の上壁１５１４は、側壁１５１０の頂端部を横切って延出する。光組立品１５０４及び制御装置１５０６の少なくとも一部は、内部空間１５１２内に配置される。側壁１５１０及び上壁１５１４は、ガラス及び／又はポリマー樹脂のような光透過性の高い材料から形成され、これによって一実施の形態における中空ライトパイプ１５０８は透明であり、他の実施の形態においては半透明となる。ベース１５０２は、ライトパイプ１５０８の下端１５１５において（ベースと）一体形成され、又は、レッジやブラケットによって取り付けられるなど任意の適切な方法によって、中空ライトパイプ１５０８を担持する。
【０１１５】
芯１５２０と燃料材料１５２２が配置された円筒形容器１５１８を含む蝋燭取替部１５１６が提供されている。容器１５１８の底端部１５２４は、動作中は、上壁１５１４に支持されている。実施の形態において、容器１５１８は、ガラス材料を含み、円筒状に形成されている。燃料材料１５２２は、燃料として使用される任意の公知のゲル状、流体状、又は固体状の材料を含む。本実施の形態において、燃料材料１５２２は、Ｓ．Ｃ．Ｊｏｈｎｓｏｎ＆Ｓｏｎ（Ｓ．Ｃ．ジョンソン＆サン）によって販売されているガラス製のボーティブ蝋燭取替部と同様の蝋を含む。しかしながら、蝋燭リフィルは、サイズや形状が異なり、ガラス以外の光透過性の材料で作られた容器を有する他の蝋燭取替部も本発明の蝋燭組立品１５００に使用することができる。
【０１１６】
透明又は半透明の光透過性材料から成るシース１５２６は、中空のライトパイプ１５０８を囲僥し、ベース１５０２によって担持される。シース（鞘）１５２６は、シース１５２６の内部表面１５２８が中空のライトパイプ１５０８から放射状に離間されるように、ベース１５０２に配置されている。具体的に説明すると、シース１５２６は、ライトパイプ1５０８と蝋燭取替部１５１６の周り及びこれらを越えて上方へ伸びる。図５５は、軸方向長さの周辺で変化する直径を有する略円筒形のシース１５２４を示す。別の実施の形態において、シース１５２６の内部表面１５２８とライトパイプ１５０８の側壁１５１０が、互いの間で略一定の距離を提供することができるように、同様に形付けられる。例えば、一実施の形態においては、中空ライトパイプ１５０８の側壁１５１０とシース１５２６の内部表面１５２８は略矩形であり、他の実施の形態においては、両方とも、略円筒形、球形、三角形、さもなければ、同様の形状を有していてよい。さらに他の実施の形態において、シース１５２６の中空ライトパイプ１５０８と内部表面１５２８との距離も、シースの球形であるか矩形の内部表面内に円筒形のライトパイプを配置させるなどによって、いくらかのばらつきが出てくる。また他の実施形態においては、シース１５２６が完全に省略される。
【０１１７】
使用上、既述されているように、制御装置１５０６は、光組立品１５０４の一つ以上の光を起動又は停止させするために用いる。光組立品１５０４が起動された時、光は、ライトパイプ１５０８の側壁１５１０及び上壁１５１４のさまざまな位置を介して透過される。次に、ライトパイプ１５０８を透過した光は、シース１５２６及び蝋燭取替部１５１６の一つ以上を介して、透過される。蝋燭取替部１５１６によって拡散された光は、容器１５１８及び燃料材料１５２２の一つ以上を介して透過される。本実施の形態において、蝋燃料材料１５２２を介した光透過は不可能とされる。蝋燭取替部１５１６を介して拡散された光の可視特性は、光の透過を可能とする蝋材料を提供することによって、光反射性及び／又は光吸収性の光透過性蝋材料の粒子を懸濁させることによって、及び／又は、光透過性の蝋燃料材料１５２２を着色することによって、変えることができる。詳細に上述された種々の分散器と関連して記載されているさまざまな光分散による効果は、本実施の形態においても同様に裏付けることができる。
【０１１８】
他の使用条件において、蝋燭取替部１５１６の芯１５２０は点火され、燃料材料１５２２は、ある一定時間が過ぎると、使い切られる。蝋燭を点火することによって、炎は、円筒形の容器１５１８の内外へ出現する。炎からの光は、蝋燭取替部１５１６とシース１５２６の一つ以上を介して透過され、上述した効果と同様の様々な光分散効果を発揮する。しかしながら、蝋燭取替部１５１６が光組立品１５０４の一つ以上の光と併用されて点火された場合、光混合の効果も明らかとなる。一実施の形態において、蝋燭取替部１５１６からの光は、より高い強度を有する又はより明るいライトショーをもたらすために使用されるか、又は、側壁１５１０、蝋燭取替部１５１６及びシース１５２６の一つ以上を介して光が移動する時に光組立品からの光の強度における損失を補償するために使用され得る「輝度」を高めることができる。他の実施の形態において、蝋燭取替部１５１６の炎から発する光は、強度及び光の位置がある一定の期間にわたってランダムに変化するような点滅効果を発揮する。炎からの光が蝋燭取替部１５１６とシース１５２６を介して放射されると、この光は、蝋燭組立品１５０４からの相対的に一定した発光と混合され、これによって、蝋燭組立品１５００から発光される光の強度に変化が生じる。また他の実施の形態において、蝋燭取替部１５１６からの光が光組立品１５０４からの光と混合され、カラー移行効果が発揮される。蝋燭取替部１５１６からの発せられる可視光が第１のカラーを生成し、光組立品１５０４から発せられる可視光が第２のカラーを生成し、これらのカラーが混合されて、ユーザが目視できる第３のカラーが生成される。カラー移行効果は、蝋燭取替部１５１６及び光組立品１５０４の一つ又は両方から発せられる可視光を変更することによって、及び／又は、側壁１５１０、蝋燭取替部１５１６、又はシース１５２６のいずれかの着色を変更することによって、調整され得る。
【０１１９】
図５５Ａは、ライトパイプ１５０８’が上壁を含まないこと以外は、図５５に示されている実施の形態と同様の蝋燭組立品１５００’を示す。適切には、光組立品１５０４によって透過される光がライトパイプ１５０８’の頂端部１５３０を介して、蝋燭取替部１５１６の底端部１５２４に直接透過されるように、ライトパイプ１５０８’の頂端部１５３０は開口している。同様に、光は側壁１５１０とシース１５２６を介して、透過される
【０１２０】
図５５及び図５５Ａに示されている実施の形態は、本明細書中に記載されているさまざまな他の実施の形態の開示に照らして変更することができる。図５５及び図５５Ａについては記載されている、上述の実施の形態に関して記載されている電子的又は構造的部品のいずれも本実施の形態の開示に含むことができる。例えば、ライトショー又はサウンドショーに関連する部品及び構造、蝋燭と組立品間の施錠メカニズムに関する構造、センサの使用、ライトショー又はサウンドショーのためのタイムシーケンスなどが本実施の形態及び以下に記載される他の実施の形態に関連して、利用することができる。
【０１２１】
図５６は、蝋燭組立品１６００の異なる実施の形態を示す。本実施の形態において、ライトパイプ１６０２は、ベース１６０６から延出する円筒形側壁１６０４を含む。円形壁１６０８は、側壁１６０４の内部中間部分１６１０を横切って延出する。蝋燭取替部１６１４の底端部１６１２は、動作中は、円形壁１６０８上に配置されている。蝋燭取替部１６１４の周りで壁１６０８から上方へ延出する側壁１６０４の部分は、保持壁１６１６として作用する。したがって、蝋燭取替部１６１４は、壁１６０８と保持壁１６１６によって画定された空隙１６１８内に配置され、使用中の蝋燭取替部１６１４を安定的に保持する。本実施の形態の蝋燭取替部１６１４は、Ｓ．Ｃ．Ｊｏｈｎｓｏｎ＆Ｓｏｎ（Ｓ．Ｃ．ジョンソン＆サン）製のＧｌａｄｅ （登録商標） Ｃａｎｄｌｅｓ（グレード蝋燭）と同様の柱状蝋蝋燭である。しかしながら、例えば、ガラス製の容器又は他の透明又は半透明の容器内に配置される蝋蝋燭を空隙１６１８に差し込むことによって使用するなどして、本実施の形態においては、任意の蝋燭を使用することができる。動作上、ライトパイプ１６０２の中空部分１６２４内で配置された制御装置１６２２に接続された光組立品１６２０は、ライトパイプ１６０２及び蝋燭取替部１６１４を介して光を伝達する。他の実施の形態において、蝋燭取替部は、部分的に光透過性であってもよいし、完全に光不透過性であってもよい。保持壁１６１６の高さは、蝋燭取替部１６１４の全て又は一部だけをカバーするように変更されてもよい。保持壁１６１６の高さを変えることによって、蝋燭取替部１６１４を透過した光がライトパイプ１６０２を透過した光と混合された時に、数え切れないほどの照明効果を実現することができる。また、保持壁１６１６の部分は、保持壁１６１６又は取替部ホルダ１６０２の他の部分と同様の厚み、又は、これらと異なる厚みが設けられ、即ち、外形付けられ、これによって、変化する光透過特性が提供される。例えば、保持壁１６１６の遠位端１６２６は、炎が外側に燃える部分１６２８を設けており、感覚的に気持ちの良い光拡散特性を付与することができる。
【０１２２】
図５６Ａは、図５６に関連して記載されている実施の形態と同様の蝋燭組立品１６００’を示す。しかしながら、本実施の形態の保持壁１６１６’は、その軸方向の全長の断面が均一である。また、図５５と図５５Ａに関して記載されているシースと同様の光透過性又は半透明のシース１６３０は、蝋燭組立品１６００のベース１６０６によって支持され、取替えホルダ１６０２と蝋燭取替部１６１４の周りで上方へ延出する。
【０１２３】
図５５〜図５６Ａにおいて示されているいくつかの実施の形態を適用している時、蝋燭取替部１５１６、１６１４は、光組立品１５０４、１６２０のそれぞれから発せられる光によって視界から遮られる。特に、図５６Ａを参照すると、シース１６３０の高さは、蝋燭取替部１６１４の頂端部１６３２を越えて延出する。使用状態では、光組立品１６２０からの光は、シース１６３０の全長にわたってシース１６３０を介して放射される。シース１６３０を透過して伝達される光は、蝋燭取替部１６１４の全て又は一部を遮ることによって、蝋燭取替部１６１４にグローイング又は照明効果を付与する。一実施の形態において、シース１６３０によって、蝋燭組立品１６００’が作動状態にあるときにシースから眺める人は、蝋燭取替部１６１４の本体１６３４を見ることができない。他の実施の形態において、眺める人は、蝋燭取替部１６１４の一部だけを見ることができるか、又は、蝋燭取替部１６１４を全く見ることができない。眺める人がシース１６３０を通して見る方法については、蝋燭組立品１６００’の底端と頂端１６３６、１６３８の間のシース１６３０の軸方向の長さをほぼ横切る視覚ラインに沿って見た時、蝋燭取替部１６１４の眺めは、部分的に遮られると考えられる。本明細書中に開示されている実施の形態のいずれかにおいて、ライトパイプ又はシースのうちの少なくとも1つの高さは、蝋燭取替部の少なくとも頂端部まで延出することができるように調整され、これによって、光源からの光の透過が蝋燭取替部の全て又は一部を遮ることができるようになる。また、蝋燭取替部は、容器内に配置された柱状蝋燭もしくは燃料材料又は本発明に開示されている任意の他のタイプの蝋燭取替部を含む。
【０１２４】
図５７を参照すると、蝋燭組立品１７００が示されている。本実施の形態において、ライトパイプ１７０２は、ベース１７０６から延出する円筒形側壁１７０４を含む。上壁１７０８は、側壁１７０６の頂端部１７１０にわたって延出する。上壁１７０８は、湾曲した環状の外周壁部１７１４、環状中間壁部１７１６、及び切頭球形内壁部１７１８によって画定された凹部１７１２を含む。凹部１７１２は変化する深さを有しており、例えば、凹部１７１２は、外周壁部１７１４又は内壁部１７１８のどちらよりも中間壁部１７１６に隣接している位置で深くなっている。上記の蝋燭取替部１５０２と同様の蝋燭取替部１７２０も提供されている。蝋燭取替部１７２０の底端部１７２２は、上壁１７０８の凹部１７１２に挿入される。一実施の形態において、蝋燭取替部１７２０の底端部１７２２は、上壁１７０８の外周壁部１７１４、環状中間壁部１７１６、及び切頭球形内壁部１７１８と位置合わせされるように輪郭が付けられ、これによって、使用中の蝋燭組立品１７００に安定性が提供される。動作上、ライトパイプ１７０２の内部空間中空部１７２６内に配置され制御装置１７２８によって作動されるＬＥＤ組立品１７２４は、ライトパイプ１７０２と蝋燭取替部１７２０の容器１７３０を介して光を透過させる。
【０１２５】
次に、図５８を参照すると、図５５に示される蝋燭組立品１５００と同様の蝋燭組立品１８００が示され、同様の構成要素が同一の参照番号によって提供されている。しかしながら、本実施の形態は、ライトパイプ１５０８の内部空間１５１２内に光組立品１５０４を位置決めしない。むしろ、側壁１５１０の底端部１８０２は、光組立品１５０４の一つ以上のＬＥＤに直接隣り合って又はこれらを覆って配置される。本実施の形態において、底端部１８０２は、ベース１５０２に隣接しており、側壁１５１０の他の環状部分１８０６より大きい直径を有する、環状部分１８０４を含む。２つの環状部分1８０４、１８０６間の直径における変化によって、複数の等間隔で離間されているＬＥＤ（二つのＬＥＤがＬＥＤ １８１０ａ及び１８１０ｂとして図５８に示されている）を受容するための凹部１８０８が提供される。異なる実施の形態において、側壁１５１０は、図５５に示される側壁と同様の均一な断面を有し、一つ以上のＬＥＤは、ベース１５０２と並列に配置された側壁１５１０の下端１５１５の下方のベース１５０２内に位置決めされている。側壁１５１０の頂端部を横切って延出する円形上壁１５１４は、湾曲した光導変移部分１８１２によって側壁１５１０の頂端部に一体的に接続されている。本実施の形態において、湾曲する変移部１８１２は、丸い角を含み、側壁１５１０と上壁１５１４の間の連結部に配置された少なくとも９０度以内の角度に沿って透過される光の方向を変えることができる。湾曲した変移部１８１２は、側壁１５１０の隣接部分の厚みと少なくとも同じか又はこの厚みよりも２倍大きい内径と、湾曲変移部１８１２に沿ってライトパイプ１５０８内の光の大きな部分を保持するためにこの内径＋側壁１５１０の各厚みの合計と少なくとも同じ外形を有する。更に、湾曲変移部１８１２は、上壁１５１４又はその近傍の厚みよりも大きい側壁１５１０又はその近傍における厚みを有する。他の実施の形態において、湾曲変移部１８１２は、四角い角、平らな対角面、及び／又は複数の平ら及び／又は湾曲した小面）を有する連結部を含む。
【０１２６】
使用上、コントロール回路１５０６は、光組立品１５０４の光の一つ以上を起動及び停止するために使用される。光組立品１５０４が起動された時、光は、側壁１５１０の底端部１８０２に入射し、光の一部は、側壁１５１０を介して、上壁１５１４へ向かって移行される。側壁１５１０とライトパイプ１５０８の上壁１５１４を介して移行した光は、上記と同様に、様々な位置で、これらの位置に沿って、ライトパイプ１５０８から出射し、シース１５２６及び／又は蝋燭取替部１５１６を通過する。今説明したように、シース１５２６、中空ライトパイプ１５０８、蝋燭取替部１５１６、及び光組立品１５０４を組み合わせることによって、上述のような方法で、シース１５２６を通して目視されるように、相対的に少数の光が、より大きく、相対的に均一に拡散されたライトショー又はエフェクト（効果）を作り出すように使用され得る。更に、中空ライトパイプ１５０８の内側表面１８１４及び／又は外側表面１８１６のそれぞれは、サンドブラストなどによって、平滑研磨、釉の塗布、及び／又は、つや消しを施すことができ、均一に拡散された表面を形成して、シース１５２６を介して拡散する光の分配能力をさらに高めることができる。更に、つや消しされた表面は、外部の位置から見られることから制御装置１５０６を隠すこともでき、蝋燭組立品１８００の美的効果をさらに高めることができる。
【０１２７】
それぞれの光組立品の位置とは無関係に本明細書中に開示されている蝋燭組立品１８００のみならず他の蝋燭組立品に対して、数多くの変更を行うことが可能である。例えば、軸方向長さにおいて均一の断面を有するシースは、シースの表面全体に沿った高輝度領域と低輝度領域の間で行われる変更を最小限に抑えて、相対的に均一な輝度の光が通過できるより大きな領域を提供することができる。異なる実施の形態において、シース１５２６の内部表面１５２８及び／又は外部表面１８１８のそれぞれが、平滑研磨、釉の塗布、及び／又はつや消しを施すことができる。さらに他の実施の形態において、シース１５２６の底端部１８２０に隣接する外部表面１８１８が様々な色に着色された光からのカラー混合を助長するに足りる長さにわたって研磨され、外部表面１８１８の他の部分は、光の拡散をより均一にするためにつや消しが施される。他の実施の形態において、光源は、シース１５２６の底端部８２０の下に追加的又は代替的に配置される。また、中空ライトパイプ１５０８及び／又はシース１５２６の部分には、例えば、塗料、エッチング及び／又はデカールなどの不透明な断面が含まれ、シース１５２６を通して示される光の中で可視のインデックス（ｉｎｄｉｃｉａ）設計、又は、他の可視のアウトラインを形成してもよい。例えば、印刷、エンボス加工、及び／又は表面処理設計が施された薄壁の部分的に半透明のプラ棒又は紙カバー（図示しない）によって、ライトパイプ１５０８をカバーし、これによって、制御装置１５０６を隠すとともに、視覚的デザインをシース１５２６に伝達するのを補助することができる。表紙カバーは、蝋燭組立品１８００に異なるデザインを施すことができるように、着脱可能である。更に、制御装置１５０６は、陰影又はそこから投影される光のスポットを削減するように処理することもできる。この処理には、例えば、反射光遮断材料、部分的な半透明の材料、表面スカッフィング加工、及び／又はサンドブラスト加工が含まれる。
【０１２８】
次に、図５９を参照すると、図５６に示されている蝋燭組立品１６００と同様の他の蝋燭組立品１９００が示されている。しかしながら、本実施の形態は、ライトパイプ１６０２の中空部分１６２４内に光組立品１６２０を位置決めしていない。むしろ、側壁１６０４の底端部１９０２は、図５８に関連して上記に記述されているように、光組立品１６２０の一つ以上のＬＥＤに直接隣接して、又はこれらを覆うように、配置される。一実施の形態において、複数の等間隔に離間されたＬＥＤは、底端部１９０２に隣接した側壁１６０４の内部１９０６の凹部１９０４内に配置されている（図５９には、ＬＥＤ１９０８ａ及び１９０８ｂが示されている）。側壁１６０４の内部中間部分１６１０を横切って延出する円形壁１６０８は、湾曲する光導変移部１９１０によって、側壁１６０４の内部中間部分１６１０に一体的に接続されている。
【０１２９】
図５９Ａは、図５６Ａ及び図５９と関して記載されている実施の形態と同様の蝋燭組立品１９００’を示す。しかしながら、図５６Ａに関して記載されている保持壁１６１６’と光透過性又は半透明のシース１６３０が、図５９と関して記載されている光組立品１６２０の配置に組み合わされている。
【０１３０】
さらに他の実施の形態による蝋燭組立品１９００''が図５９Ｂに示されている。蝋燭組立品１９００''は、保持壁１６１６’の上端１９１４から上方へ延出する複数の円周方向に離間された支柱１９１２を追加したこと以外は、蝋燭組立品１９００’と略同様である。支柱１９１２は、複数の異なる高さを有し、各支柱１９１２は、シース１６３０へ向かって径方向外側に光組立品１７２０から光の一部を反射するように角度付けされた光の反射ファセット１９１６を形成する斜めの上端を含む。シース１６３０を通して見た時、中空ライトパイプ１６０２は、一実施の形態において都会のスカイラインを思わせる、複数の異なる高さで配置される複数の高輝度の光の領域、又は、「ホットスポット」のエフェクトを再生することができる。また、光組立品のＬＥＤ１９０８ａ及び１９０８ｂの配置は、本発明の開示によって含まれている更に他の可能性のある構成を記述するために変形されたものである。ＬＥＤ１９０８ａ及び１９０８ｂは、これらのＬＥＤを透過する光が、蝋燭組立品１９００''を通って伝達される前に、側壁１６０４の端面１９１８へ入射するように、ベース１６０６内に配置されている。
【０１３１】
図６０は、蝋燭組立品２０００の異なる実施の形態を示す。本実施の形態において、ベース２００２は、頂端部２００６から延びる環状周囲壁２００４を有する円筒形部分を含む。ライトパイプ２００８は、ベース２００２の頂端部２００６から上方へ延びる円筒側壁２０１０を含む。円形壁２０１２は、側壁２０１０の頂部２０１４を横切って延出する。本明細書中で説明されているものと同様の光組立品２０１６と制御装置２０１８が蝋燭組立品２０００内にも設けられる。本実施の形態において、制御装置２０１８は、ライトパイプ２００８の内部空間２０２０内に設けられ、２個のＬＥＤ２０２２ａ及び２０２２ｂを含むライト組立品２０１６は、図５９Ｂに示したＬＥＤと同様にベース２００２内に配置される。
【０１３２】
図６０に示されている実施の形態においては、上記に説明されている柱状蝋蝋燭と同様の蝋燭取替部２０２４を含む。蝋燭取替部２０２４は、蝋燃料材料２０２８を含む本体２０２６と蝋燭取替部２０２４の頂端部２０３２から上方へ延びる芯２０３０とを含む。しかしながら、本実施の形態の蝋燭取替部２０２４は、芯２０３０の下で蝋燭取替部２０２４の底端部２０３６から蝋燭取替部２０２４の一部まで延出される本体２０２６内に中空の円筒形部分２０３４、即ち、キャビティも含んでいる。中空部分２０３４の内径及び内側の高さは、蝋燭取替部２０２４が、ライトパイプ２００８に全体わたって配置され得るように、側壁の直径及び高さのそれぞれと略同じになるように寸法が決定される。他の実施の形態において、側壁２０１０と中空部分２０３４の少なくとも一つの直径は、ライトパイプ２００８と中空部分２０２６間に隙間嵌め又は締まり嵌めを提供するように調整され、これによって、中空部分２０２６が画定される。また、他の実施の形態において、側壁２０１０と中空部分２０３４の少なくとも一つの高さは、蝋燭取替部２０２４の底端部２０３６が、例えば、図６０に示されるようなベース２００２の頂端部２００６によって支持されるように調整される。更に、蝋燭取替部２０２４の外径は、ベース２００２の頂端部であって、環状壁２００４の内部に配置されるように、適切に大きさが決定される。同様に、蝋燭取替部２０２４の外径又は環状壁２００４の直径の少なくとも一つは、蝋燭取替部２０２４の外壁２０３８と環状壁２００４の間に隙間嵌め又は締まり嵌めを提供するように調整され得る。
【０１３３】
動作上、光は、蝋燭取替部２０２４と側壁２０１０の頂部２０１４を通って伝達される前に、側壁２０１０の端面２０４０を介して伝達される。蝋燭取替部２０２４は略光透過性であり、その透過度は、本発明の蝋燭組立品２０００の光度を変えるために当業者によって変えることができる。更に、蝋燭取替部２０２４を介して拡散される光の可視特性は、蝋材２０２８の内で粒子を懸濁することによって、及び／又は、蝋材２０２８の色を変えることによって、変えることができる。また、本実施の形態が、本明細書中に開示されている実施の形態のいずれかの構造又は機能のいずれかを含むように変更され得ることが想定され得る。例えば、シースは、ベース２００２から蝋燭取替部２０２０の周辺まで上へ向かって延びる蝋燭組立品２０００を備える。異なる実施の形態において、図５５〜図５７に関連して記載されているもとの同様に、光組立品は、ライトパイプ２００８の中空部分２０２０内で設けられてもよい。さらに他の実施の形態では、容器は、蝋燭取替部２０２４を全体的又は部分的に保持及び／又は支持するように提供される。さらに他の実施の形態では、一つ以上の芯は、蝋燭取替部２０２４の外壁２０３８とライトパイプ２００８の側壁２０１０から離間されている蝋燭取替部２０２４の底端部２０３６に隣接した領域から上方へ延出する。使用時には、一つ以上の芯の炎は、側壁２０１０と同じ高さになり、燃焼又は煤が溜まることによって炎が急冷したり、側壁２０１０にダメージを与えたりしないように、側壁からは十分に離間される。
【０１３４】
本発明において使用されている用語は、本来、本発明を限定することを意図するものではなく、説明することのみを意図するものであることが理解されよう。全ての特許、公開されている特許出願、及び本明細書に開示されている他の文献はその全体が参照することによって組み込まれている。本明細書中に記載されている種々の蝋燭組立品の種々の構成部品は、構成部品の全て又は一部を含む未組立てキットとして、個別の構成要素として、及び／又はこれらを組み合わせたものとして、パッケージングされてもよい。種々の蝋燭組立品の本明細書に述べられている構成部品の異なる又は様々な組み合わせが本明細書に記載されている装置、方法、キット又はこれらを組み合わせたものにおいて使用することもできる。励ます
【産業上の利用可能性】
【０１３５】
本発明に開示されている蝋燭組立品は、本明細書中に説明されている燃料要素のようなボーティブ型の蝋燭を支持するために使用される。音及び／又は光特性は、ユーザにとって心地良い体感を提供するために追加され、制御され得る。
【０１３６】
以上の記載から、数多くの変更が可能であることが当業者に明確である。従って、以上の説明は例示することのみを目的としている。
【図面の簡単な説明】
【０１３７】
【図１】図１は、第１の実施の形態による蝋燭組立品を示す分解等角図である。
【図２】図２は、図１に示された芯ホルダを示す拡大等角図である。
【図３】図３は、図１の線３−３に沿って見たときの燃料要素を示す断面図である。
【図４】図４は、組み立てられた形態の蝋燭組立品を図１の線３-３に略直角に切断したときの断面図である。
【図５】図５は、図４の線５-５に沿って見たときの拡大部分断面図である。
【図６】図６は、他の実施の形態による芯ホルダと溶融皿の一部を示す拡大等角図である。
【図７】図７は、また他の実施の形態によるまた他の芯ホルダを示す等角図である。
【図８】図８は、図７の芯ホルダを図５に示されたものと同様に示した拡大断面図である。
【図９】図９は、他の実施の形態による蝋燭組立品を示す等角図である。
【図１０】図１０は、さらに他の実施の形態による蝋燭組立品を示す分解等角図である。
【図１１】図１１は、中央線の垂直面に沿った図１０の蝋燭組立品の分解断面図である。
【図１２】図１２は、音及び／又は光特性を含んでいる蝋燭組立品の更なる実施の形態を示す等角図である。
【図１３】図１３は、図１２の蝋燭組立品の側面立面図である。
【図１４】図1４は、図１２の蝋燭組立品の様々な部分の上面、正面、及び右側面を示す分解等角図である。
【図１５】図１５は、図１２の蝋燭組立品の制御装置及び拡散器の上面、正面、及び右側面を示す分解等角図である。
【図１６】図１６は、下から見た図１２の拡散器を示す等角図である。
【図１７】図１７は、図１２の拡散器の底面立面図である。
【図１８】図１８は、図１２の蝋燭組立品の制御装置及び拡散器の上面、正面、及び右側面を示す分解等角図である。
【図１９】図１９は、下から見た図１２の蝋燭組立品の制御装置の部分の下面、後面、及び右側面を示す分解等角図である。
【図２０】図２０は、図１８及び図１９の制御装置のハウジングと制御装置の種々の構成部品を上から見たときの拡大等角図であって、その上面、後面、及び左側面を示す図である。
【図２１】図２１は、図２０の制御装置を示す平面図である。
【図２２】図２２は、更なる実施の形態による光特性を含む蝋燭組立品を示す拡大等角図である。
【図２３】図２３は、更なる実施の形態による光特性を含む蝋燭組立品を示す拡大等角図である。
【図２６】図２６は、図２２の蝋燭組立品のさまざまな部分の上面、後面、及び左側面を示す分解等角図である。
【図２７】図２７は、下から見た図２２の拡散器を示す等角図である。
【図２８】図２８は、図２２の制御装置を下から見たときの拡大等角図である。
【図２８Ａ】図２８Ａは、図２２の制御装置を下から見たときの分解等角図である。
【図２９】図２９は、図２２の制御装置とその部品を下から見たときの拡大等角図である。
【図３０】図３０は、図２２の蝋燭組立品の様々な部分を示す分解等角図である。
【図３１】図３１は、図２２の制御装置を示す平面図である。
【図３２】図３２は、図２２の制御装置を示す拡大分解図である。
【図３３】他の実施の形態による、光又は音の特性を含む蝋燭組立品を示す等角図である。
【図３２】図３２は、図３１の蝋燭組立品を示す側面立面図である。
【図３３】図３３は、他の実施の形態による蝋燭組立品の平面図である。
【図３４】図３４は、他の実施の形態による蝋燭組立品の平面図である。
【図３５】図３５は、他の実施の形態による蝋燭組立品の平面図である。
【図３６】図３６は、図３３の線３６−３６に沿って見たときの他の実施の形態による蝋燭組立品を示す断面図である。
【図３７】図３７は、図３４の線３７−３７に沿って見たときの他の実施の形態による蝋燭組立品を示す断面図である。
【図３８】図３８は、図３５の線３８−３８に沿って見たときの他の実施の形態による蝋燭組立品を示す断面図である。
【図３８Ａ】図３８Ａは、他の実施の形態による蝋燭組立品を示す断面図である。
【図３９】図３９は、熱センサを含む他の実施の形態による蝋燭組立品を示す断面立面図である。
【図４０】図４０は、ホール効果センサを含む他の実施の形態による蝋燭組立品の他の断面立面図である。
【図４１】図４１は、熱センサを含む他の実施の形態による蝋燭組立品の他の断面立面図である。
【図４２】図４２は、熱染色ラベルを含む他の実施の形態による蝋燭組立品を示す他の断面図である。
【図４３】図４３は、分散器と蝋燭ホルダの間に配置された磁石又は鉄の材料を含む他の実施の形態による蝋燭組立品を示す断面立面図である。
【図４４】図４４は、制御装置内に電子通信リンクを含む他の実施の形態による蝋燭組立品を示す他の断面図である。
【図４５】図４５は、図１４、図１５及び図１８〜図２１のＬＥＤ及びスピーカの作動回路を示す回路構成概要図である。
【図４６】図４６は、光及び／又は熱センサを含む実施の形態による蝋燭組立品のＬＥＤ及びスピーカの作動回路を示す回路構成概要図である。
【図４７】図４７は、音声検出調節センサを含む実施の形態による蝋燭組立品のＬＥＤ及びスピーカの作動回路を示す回路構成概要図である。。
【図４８】図４８は、光センサ及び熱染色ストリップを組み込んだ実施の形態による蝋燭組立品のＬＥＤ及びスピーカの作動回路を示す回路構成概要図である。
【図４９】図４９は、電子通信リンクを組み込む実施の形態による蝋燭組立品のＬＥＤ及びスピーカの作動回路の回路構成概要図である。
【図５０】図５０は、図４５のプロセッサによって実行されるプログラムを示すフローチャートである。
【図５１】図５１は、図３５〜図４０において示されている実施の形態によるプロセッサによって実行されるプログラムを示すフローチャートである。
【図５２】図５２は、音声検出センサを組み込む実施の形態のプロセッサによって実行されるプログラムを示すフローチャートである。
【図５３】図５３は、図４２〜図４５において示された実施の形態よるプロセッサによって実行されるプログラムを示すフローチャートである。
【図５４】図５４は、制御装置内の電気部品の通信リンクとしてホール効果センサを用いた、他の実施の形態による蝋燭組立品を示す他の断面立面図である。
【図５５】図５５は、他の実施の形態による蝋燭組立品を示す断面図である。
【図５５Ａ】図５５Ａは図５５に示したものの同様の実施の形態による蝋燭組立品を示す断面図である。
【図５６】図５６は、異なる実施の形態による蝋燭組立品を示す断面図である。
【図５６Ａ】図５６Ａは、図５６に示したものと同様の実施の形態による蝋燭組立品を示す断面図である。
【図５７】図５７は、また他の実施の形態による蝋燭組立品を示す断面図である。
【図５８】図５８は、さらに他の実施の形態による図５５に示したものと同様の蝋燭組立品を示す断面図である。
【図５９】図５９は、他の実施の形態による図５６に示したものと同様の蝋燭組立品を示す断面図である。
【図５９Ａ】図５９Ａは、図５６Ａに示したものと同様の実施の形態による蝋燭組立品を示す断面図である。
【図５９Ｂ】図５９Ｂは、図５９Ａで示したものと同様の実施の形態による蝋燭組立品を示す断面図である。及び
【図６０】図６０は、異なる実施の形態による蝋燭組立品を示す断面図である。
【図１】
2009521784.tif 000004
【図２】
2009521784.tif 000005
【図３】
2009521784.tif 000006
【図４】
2009521784.tif 000007
【図５】
2009521784.tif 000008
【図６】
2009521784.tif 000009
【図７】
2009521784.tif 000010
【図８】
2009521784.tif 000011
【図９】
2009521784.tif 000012
【図１０】
2009521784.tif 000013
【図１１】
2009521784.tif 000014
【図１２】
2009521784.tif 000015
【図１３】
2009521784.tif 000016
【図１４】
2009521784.tif 000017
【図１５】
2009521784.tif 000018
【図１６】
2009521784.tif 000019
【図１７】
2009521784.tif 000020
【図１８】
2009521784.tif 000021
【図１９】
2009521784.tif 000022
【図２０】
2009521784.tif 000023
【図２１】
2009521784.tif 000024
【図２２】
2009521784.tif 000025
【図２３】
2009521784.tif 000026
【図２４】
2009521784.tif 000027
【図２５】
2009521784.tif 000028
【図２６】
2009521784.tif 000029
【図２６Ａ】
2009521784.tif 000030
【図２７】
2009521784.tif 000031
【図２８】
2009521784.tif 000032
【図２９】
2009521784.tif 000033
【図３０】
2009521784.tif 000034
【図３１】
2009521784.tif 000035
【図３２】
2009521784.tif 000036
【図３３】
2009521784.tif 000037
【図３４】
2009521784.tif 000038
【図３５】
2009521784.tif 000039
【図３６】
2009521784.tif 000040
【図３７】
2009521784.tif 000041
【図３８】
2009521784.tif 000042
【図３８Ａ】
2009521784.tif 000043
【図３９】
2009521784.tif 000044
【図４０】
2009521784.tif 000045
【図４１】
2009521784.tif 000046
【図４２】
2009521784.tif 000047
【図４３】
2009521784.tif 000048
【図４４】
2009521784.tif 000049
【図４５】
2009521784.tif 000050
【図４６】
2009521784.tif 000051
【図４７】
2009521784.tif 000052
【図４８】
2009521784.tif 000053
【図４９】
2009521784.tif 000054
【図５０】
2009521784.tif 000055
【図５１】
2009521784.tif 000056
【図５２】
2009521784.tif 000057
【図５３】
2009521784.tif 000058
【図５４】
2009521784.tif 000059
【図５５】
2009521784.tif 000060
【図５５Ａ】
2009521784.tif 000061
【図５６】
2009521784.tif 000062
【図５６Ａ】
2009521784.tif 000063
【図５７】
2009521784.tif 000064
【図５８】
2009521784.tif 000065
【図５９】
2009521784.tif 000066
【図５９Ａ】
2009521784.tif 000067
【図５９Ｂ】
2009521784.tif 000068
【図６０】
2009521784.tif 000069
【手続補正書】
【提出日】平成19年10月22日(2007.10.22)
【手続補正１】
【補正対象書類名】明細書
【補正対象項目名】図面の簡単な説明
【補正方法】変更
【補正の内容】
【図面の簡単な説明】
【０１３２】
【図１】  図１は、第１の実施の形態による蝋燭組立品を示す分解等角図である。
【図２】  図２は、図１に示された芯ホルダを示す拡大等角図である。
【図３】  図３は、図１の線３−３に沿って見たときの燃料要素を示す断面図である。
【図４】  図４は、組み立てられた形態の蝋燭組立品を図１の線３-３に略直角に切断したときの断面図である。
【図５】  図５は、図４の線５-５に沿って見たときの拡大部分断面図である。
【図６】  図６は、他の実施の形態による芯ホルダと溶融皿の一部を示す拡大等角図である。
【図７】  図７は、また他の実施の形態によるまた他の芯ホルダを示す等角図である。
【図８】  図８は、図７の芯ホルダを図５に示されたものと同様に示した拡大断面図である。
【図９】  図９は、他の実施の形態による蝋燭組立品を示す等角図である。
【図１０】  図１０は、さらに他の実施の形態による蝋燭組立品を示す分解等角図である。
【図１１】  図１１は、中央線の垂直面に沿った図１０の蝋燭組立品の分解断面図である。
【図１２】  図1２は、音及び／又は光特性を含んでいる蝋燭組立品の更なる実施の形態を示す等角図である。
【図１３】  図1３は、図１２の蝋燭組立品の側面立面図である。
【図１４】  図1４は、図１２の蝋燭組立品の様々な部分の上面、正面、及び右側面を示す分解等角図である。
【図１５】  図１５は、図１２の蝋燭組立品の制御装置及び拡散器の上面、正面、及び右側面を示す分解等角図である。
【図１６】  図１６は、下から見た図１２の拡散器を示す等角図である。
【図１７】  図１７は、図１２の拡散器の底面立面図である。
【図１８】  図１８は、図１２の蝋燭組立品の制御装置及び拡散器の上面、正面、及び右側面を示す分解等角図である。
【図１９】  図１９は、下から見た図１２の蝋燭組立品の制御装置の部分の下面、後面、及び右側面を示す分解等角図である。
【図２０】  図２０は、図１８及び図１９の制御装置のハウジングと制御装置の種々の構成部品を上から見たときの拡大等角図であって、その上面、後面、及び左側面を示す図である。
【図２１】  図２１は、図２０の制御装置を示す平面図である。
【図２２】  図２２は、更なる実施の形態による光特性を含む蝋燭組立品を示す拡大等角図である。
【図２３】  図２３は、更なる実施の形態による光特性を含む蝋燭組立品を示す拡大等角図である。
【図２４】  図２４は、図２２の蝋燭組立品のさまざまな部分の上面、後面、および左側面を示す分解等角図である。
【図２５】  図２５は、下から見た図２２の拡散器を示す等角図である。
【図２６】  図２６は、下から見た図２２の制御装置を示す拡大等角図である。
【図２６Ａ】  図２６Ａは、下から見た図２２の制御装置を示す分解等角図である。
【図２７】  図２７は、下から見た図２２の制御装置とその部品を示す拡大等角図である。
【図２８】  図２８は、図２２の蝋燭組立品の様々な部分を示す分解等角図である。
【図２９】  図２９は、図２２の制御装置を示す平面図である。
【図３０】  図３０は、図２２の制御装置を示す拡大分解図である。
【図３１】  図３１は、他の実施の形態による、光または音の特性を含む蝋燭組立品を示す等角図である。
【図３２】  図３２は、図３１の蝋燭組立品を示す側面立面図である。
【図３３】  図３３は、他の実施の形態による蝋燭組立品の平面図である。
【図３４】  図３４は、他の実施の形態による蝋燭組立品の平面図である。
【図３５】  図３５は、他の実施の形態による蝋燭組立品の平面図である。
【図３６】  図３６は、図３３の線３６−３６に沿って見たときの他の実施の形態による蝋燭組立品を示す断面図である。
【図３７】  図３７は、図３４の線３７−３７に沿って見たときの他の実施の形態による蝋燭組立品を示す断面図である。
【図３８】  図３８は、図３５の線３８−３８に沿って見たときの他の実施の形態による蝋燭組立品を示す断面図である。
【図３８Ａ】  図３８Ａは、他の実施の形態による蝋燭組立品を示す断面図である。
【図３９】  図３９は、熱センサを含む他の実施の形態による蝋燭組立品を示す断面立面図である。
【図４０】  図４０は、ホール効果センサを含む他の実施の形態による蝋燭組立品の他の断面立面図である。
【図４１】  図４１は、熱センサを含む他の実施の形態による蝋燭組立品の他の断面立面図である。
【図４２】  図４２は、熱染色ラベルを含む他の実施の形態によるロウソクアセンブリを示す他の断面立面図である。
【図４３】  図４３は、分散器と蝋燭ホルダの間に配置された磁石又は鉄の材料を含む他の実施の形態による蝋燭組立品を示す断面立面図である。
【図４４】  図４４は、制御装置内に電子通信リンクを含む他の実施の形態による蝋燭組立品を示す他の断面図である。
【図４５】  図４５は、図１４、図１５及び図１８〜図２１のＬＥＤ及びスピーカの作動回路を示す回路構成概要図である。
【図４６】  図４６は、光及び／又は熱センサを含む実施の形態による蝋燭組立品のＬＥＤ及びスピーカの作動回路を示す回路構成概要図である。
【図４７】  図４７は、音声検出調節センサを含む実施の形態による蝋燭組立品のＬＥＤ及びスピーカの作動回路を示す回路構成概要図である。。
【図４８】  図４８は、光センサ及び熱染色ストリップを組み込んだ実施の形態による蝋燭組立品のＬＥＤ及びスピーカの作動回路を示す回路構成概要図である。
【図４９】  図４９は、電子通信リンクを組み込む実施の形態による蝋燭組立品のＬＥＤ及びスピーカの作動回路の回路構成概要図である。
【図５０】  図５０は、図４５のプロセッサによって実行されるプログラムを示すフローチャートである。
【図５１】  図５１は、図３５〜図４０において示されている実施の形態によるプロセッサによって実行されるプログラムを示すフローチャートである。
【図５２】  図５２は、音声検出センサを組み込む実施の形態のプロセッサによって実行されるプログラムを示すフローチャートである。
【図５３】  図５３は、図４２〜図４５において示された実施の形態よるプロセッサによって実行されるプログラムを示すフローチャートである。
【図５４】  図５４は、制御装置内の電気部品の通信リンクとしてホール効果センサを用いた、他の実施の形態による蝋燭組立品を示す他の断面立面図である。
【図５５】  図５５は、他の実施の形態による蝋燭組立品を示す断面図である。
【図５５Ａ】  図５５Ａは図５５に示したものの同様の実施の形態による蝋燭組立品を示す断面図である。
【図５６】  図５６は、異なる実施の形態による蝋燭組立品を示す断面図である。
【図５６Ａ】  図５６Ａは、図５６に示したものと同様の実施の形態による蝋燭組立品を示す断面図である。
【図５７】  図５７は、また他の実施の形態による蝋燭組立品を示す断面図である。
【図５８】  図５８は、さらに他の実施の形態による図５５に示したものと同様の蝋燭組立品を示す断面図である。
【図５９】  図５９は、他の実施の形態による図５６に示したものと同様の蝋燭組立品を示す断面図である。
【図５９Ａ】  図５９Ａは、図５６Ａに示したものと同様の実施の形態による蝋燭組立品を示す断面図である。
【図５９Ｂ】  図５９Ｂは、図５９Ａで示したものと同様の実施の形態による蝋燭組立品を示す断面図である。
【図６０】  図６０は、異なる実施の形態による蝋燭組立品を示す断面図である。
【手続補正書】
【提出日】平成20年11月27日(2008.11.27)
【手続補正１】
【補正対象書類名】特許請求の範囲
【補正対象項目名】全文
【補正方法】変更
【補正の内容】
【特許請求の範囲】
【請求項１】
ベースから延出し内部空間を画定する光透過性側壁を有するとともに、前記内部空間内に光源及び電源回路を含む光組立品が配置されている前記ベースと、
光透過性シースの頂端部から前記ベースの前記内部空間まで延出する壁を有し、蝋燭取替部を保持するように構成され、前記側壁周辺に配置され、前記側壁から放射状に離間されている前記光透過性シースと、
を含む蝋燭組立品において、
前記光透過性シースが、前記蝋燭取替部の少なくとも頂部へ延出するように構成された、
蝋燭組立品。
【請求項２】
前記光透過性シースの前記頂端部から上方に延びる保持壁を更に含む、請求項１に記載の蝋燭組立品。
【請求項３】
前記蝋燭取替部は、燃料要素を含む、請求項１又は２に記載の蝋燭組立品。
【請求項４】
光組立品及び前記光組立品と協働可能である制御装置と、
底端部と、頂端部と、蝋燭取替部を支持し内部空間を画定するように構成された光透過性側壁と、を含むライトパイプと、
を含む蝋燭組立品において、
前記底端部は、前記光組立品の少なくとも一つの光源に隣接するように配置され、前記少なくとも一つの光源から前記底端部を通って光を透過させることを可能とし、前記制御装置の少なくとも一部は前記内部空間に配置され、前記側壁はベース部から上方に延出し異なる長さを有する複数の光伝導性の支柱を含む、
蝋燭組立品。
【請求項５】
前記光透過性側壁は、外側位置から見られないように前記制御装置を遮蔽する、請求項４に記載の蝋燭組立品。
【請求項６】
前記内部空間に跨っている前記側壁の一部を横切って延出している壁を更に含む、請求項４又は５に記載の蝋燭組立品。
【請求項７】
前記側壁の前記壁の間に延びる湾曲変移部を更に含み、
前記湾曲変移部は、前記側壁の隣接部分の厚みの二倍以上の内径を有し、前記湾曲変移部は、少なくとも、前記内径と前記側壁の前記隣接部分の厚みの合計に等しい外径を有する、
請求項５に記載の蝋燭組立品。
【請求項８】
前記蝋燭取替部は、内部に配置されたキャビティを有する柱状蝋燭を含み、前記壁と前記側壁との少なくとも一部が前記キャビティ内に挿入されている、請求項５に記載の蝋燭組立品。
【請求項９】
内部空間を取り囲み、第１の端面と第２の端面との間を延びる、光伝導性側壁を含むライトパイプと、
前記第１の端面に隣接するように位置決めされた光源を含む光組立品と、
前記ライトパイプの周囲に配置される光伝導性シースと、
を含む蝋燭組立品であって、
前記光伝導性シースは、前記ライトパイプから放射状に離間され、前記側壁の一部が蝋燭取替部を支持するように構成され、前記光源から光の透過するように構成されている、
蝋燭組立品。
【請求項１０】
前記光伝導性シースの前記頂端部から上方に延びている保持壁を更に含む、請求項９に記載の蝋燭組立品。
【請求項１１】
前記蝋燭取替部は、燃料要素を含む、請求項９に記載の蝋燭組立品。
【請求項１２】
前記光源は、３色の発光ダイオード（ＬＥＤ）を含む、請求項１、４、９のいずれか１項に記載の蝋燭組立品。
【請求項１３】
前記蝋燭取替部からの炎を含む第２の光源を更に含む、請求項１、４、９のいずれか１項に記載の蝋燭組立品。
【請求項１４】
前記光組立品は、前記側壁の前記底端部に隣接するように配置された複数の光源を含む、請求項１、４、９のいずれか１項に記載の蝋燭組立品。
【請求項１５】
前記蝋燭取替部は、前記燃料と芯とが配置された容器を含む、請求項１、４、９のいずれか１項に記載の蝋燭組立品。
【請求項１６】
前記蝋燭は、柱状蝋燭取替部を含む、請求項１、４、９のいずれか１項に記載の蝋燭組立品。
【国際調査報告】
2009521784.tif 000070
2009521784.tif 000071
2009521784.tif 000072